(57)【特許請求の範囲】
【請求項１】
リハビリテーションの対象者の体の検出結果を示す検出結果情報に基づいて、前記対象者の体の一部の位置を認識する認識部と、
前記認識部による認識結果に基づき、前記対象者の動作する動作領域が第１領域か、前記第１領域と異なる第２領域かを判定する判定部と、
前記判定部の判定結果に基づいて、前記体の一部の動作に関する画像を前記動作領域に表示させるよう制御する表示制御部と、
を備え、
前記判定部は、前記動作領域が第１領域の場合、前記対象者の体の第１部分を検出対象と設定し、前記動作領域が第２領域の場合、前記対象者の体の前記第１部分と異なる第２部分を検出対象と設定する
リハビリテーション支援制御装置。
【請求項２】
前記表示制御部は、
前記位置に関する情報を前記対象者の体の一部と同一の尺度において表示するよう制御し、
前記第１部分が、前記対象者の手である場合、前記表示制御部は、前記対象者の手の位置に関する情報として、手を動作する際の最速の速度の現在と過去との比較を示す情報と、手が到達する位置であって前記対象者から最も遠い位置までの距離の現在と過去との比較を示す情報を表示するよう制御する
請求項１に記載のリハビリテーション支援制御装置。
【請求項３】
前記第１領域と前記第２領域は高さが異なり、
前記第１領域は手の動作領域であり、前記第２領域は足の動作領域であり、
前記表示制御部は、前記対象者が前記目標位置まで移動させる妨げとなる外乱を表示するよう制御し、
前記第１領域に表示にする外乱は前記第２領域に表示する外乱と異なる
請求項１又は２に記載のリハビリテーション支援制御装置。
【請求項４】
リハビリテーションの対象者の体の検出結果を示す検出結果情報に基づいて、前記対象者の体の一部の位置を認識する認識部と、
前記認識部による認識結果に基づき、前記対象者の動作する動作領域が第１領域か、前記第１領域と異なる第２領域かを判定する判定部と、
前記判定部の判定結果に基づいて、前記体の一部の動作に関する画像を前記動作領域に表示させるよう制御する表示制御部と、
を備え、
前記判定部は、前記動作領域が第１領域の場合、前記対象者の体の第１部分を検出対象と設定し、前記動作領域が第２領域の場合、前記対象者の体の前記第１部分と異なる第２部分を検出対象と設定する
リハビリテーション支援制御装置としてコンピュータを機能させるためのコンピュータプログラム。
【発明の詳細な説明】
【技術分野】
【０００１】
本発明は、リハビリテーションを支援する技術に関する。
【背景技術】
【０００２】
従来、タッチパネル上にリハビリテーション用の画像を表示し、画像に対応してリハビリテーションの対象者が触れた場所を検出することによってリハビリテーションを評価する技術がある（例えば特許文献１参照）。
【先行技術文献】
【特許文献】
【０００３】
【特許文献１】特開２０１３−１７２８９７号公報
【発明の概要】
【発明が解決しようとする課題】
【０００４】
ここで、リハビリテーションの対象者及び当該対象者の親族は、当該リハビリテーションによって体を動かした際の動きを客観的に確認することによって、以降のリハビリテーションを能率的に行うことができる場合がある。
しかしながら、従来の技術では、リハビリテーションを施術する施術者が対象者の体の動作結果を示す情報を確認することができても、対象者自身が当該動作結果を示す情報を確認することまでは困難である場合があった。
また、従来の技術では、リハビリテーションを施術する施術者が対象者の体の動作結果を示す情報を理解することができても、対象者自身が当該動作結果を示す情報を理解することが困難である場合があった。
【０００５】
上記事情に鑑み、本発明は、リハビリテーションの対象者を含む複数の閲覧者が、が当該リハビリテーションによって体を動かした結果に関する情報を容易に認識できる表示が可能な技術の提供を目的としている。
【課題を解決するための手段】
【０００６】
本発明の一態様は、リハビリテーションの対象者の体を検出するセンサの検出結果を示す検出結果情報に基づいて、前記対象者の体の一部の位置を認識する認識部と、前記認識部が認識する前記位置に基づいて、前記対象者が前記センサに検出される検出位置から前記対象者が視認する範囲に前記位置に関する情報の表示を制御する表示制御部と、を備えるリハビリテーション支援制御装置である。
【０００７】
本発明の一態様は、上記のリハビリテーション支援制御装置であって、前記表示制御部は、前記位置に関する情報を前記対象者の体の一部と同一の尺度において示す表示を制御する。
【０００８】
本発明の一態様は、上記のリハビリテーション支援制御装置であって、前記範囲とは、前記センサが検出する前記対象者の体を検出する検出範囲を含む範囲である。
【０００９】
本発明の一態様は、リハビリテーションの対象者の体を検出するセンサの検出結果を示す検出結果情報に基づいて、前記対象者の体の一部の位置を認識する認識部と、前記認識部が認識する前記位置に基づいて、前記対象者が前記センサに検出される検出位置から前記対象者が視認する範囲に前記位置に関する情報の表示を制御する表示制御部と、を備えるリハビリテーション支援制御装置としてコンピュータを機能させるためのコンピュータプログラムである。
【発明の効果】
【００１０】
本発明により、リハビリテーションの対象者を含む複数の閲覧者が、当該リハビリテーションによって体を動かした結果に関する情報を容易に認識できる表示することが可能となる。
【図面の簡単な説明】
【００１１】
【図１】本発明の一実施形態に係るリハビリテーション支援システム１のシステム構成を示す斜視図である。
【図２】リハビリテーション支援システム１に備わるリハビリテーション支援制御装置３００の機能構成例を示す概略ブロック図である。
【図３】リハビリテーション支援制御装置３００による第一動作領域を説明するための斜視図である。
【図４】リハビリテーション支援システム１における画像の表示の例を示す平面図である。
【図５】リハビリテーション支援制御装置３００による第二動作領域を説明するための斜視図である。
【図６】リハビリテーション支援システム１における画像の表示の例を示す平面図である。
【図７】リハビリテーション支援制御装置３００による動作領域の判定処理の一例を示すフローチャートである。
【図８】リハビリテーション支援制御装置３００が手の移動目標となる目標画像を映し出す例を示す斜視図である。
【図９】リハビリテーション支援制御装置３００が手の外乱を映し出す例を示す図である。
【図１０】足用表示パラメータ設定部３４７がステップの値を設定する例を示す図である。
【図１１】リハビリテーション支援制御装置３００が、対象者ＥＰが歩行する際の回避目標となる目標画像を映し出す例を示す斜視図である。
【図１２】リハビリテーション支援システム１を用いたリハビリテーションにおけるパラメータ設定の一例を示すフローチャートである。
【図１３】リハビリテーション内容が歩行である場合の認識部３４１の認識の一例を示す平面図である。
【図１４】結果画像ＲＰ１の一例を示す第１の図である。
【図１５】リハビリテーション内容が手の移動である場合の認識部３４１の認識の一例を示す平面図である。
【図１６】結果画像ＲＰ２の一例を示す第２の図である。
【図１７】変形例のリハビリテーション支援制御装置３２０の機能構成例を示す概略ブロック図である。
【図１８】結果画像ＲＰ３の一例を示す第３の図である。
【図１９】リハビリテーション支援システム１のシステム構成の変形例を示す斜視図である。
【発明を実施するための形態】
【００１２】
図１は、本発明の一実施形態に係るリハビリテーション支援システム１のシステム構成を示す斜視図である。リハビリテーション支援システム１は、リハビリテーションの対象者（以下「対象者」という。）に対して、リハビリテーションの実施を支援するシステムである。リハビリテーション支援システム１は、センサ１００、出力装置２００及びリハビリテーション支援制御装置３００を備える。
【００１３】
センサ１００は、同センサ１００の検出範囲８００内（図１の破線で囲った範囲）で対象者ＥＰを検出する。
センサ１００は、例えば、画像センサ、赤外線センサ、レーザセンサ、サーモセンサなど、対象者ＥＰにマーカを装着することなく対象者ＥＰの動きが検出できるセンサである。本実施形態では、このようなセンサの例として、センサ１００に、距離センサと画像センサを組み込んだＫｉｎｅｃｔ（登録商標）を用いた場合を例に説明を行う。
センサ１００は、例えば、画像センサ（不図示）を備える。前記画像センサは、（１）自らの正面方向をリアルタイムに撮像し、連続した複数枚の２次元画像（フレーム画像）を取得する動画カメラとしての機能と、（２）センサ１００から、前記２次元画像（フレーム画像）内の各位置に対応する実際の位置までの距離の情報（距離情報を表示した画像）を取得する距離センサ（デプスセンサ）としての機能と、を有している。前記距離センサが有する機能により、対象者ＥＰを撮像した画像と、当該画像に撮像された対象者ＥＰの体の各部位の３次元空間における座標情報である距離画像情報とを取得する。センサ１００が検出する３次元空間とは、図１に示すＸＹＺ直交座標系によって示される空間である。
対象者ＥＰの体の各部位とは、対象者ＥＰの動作を認識するために検出することが求められる体の部位である。具体的には、対象者ＥＰの体の各部位とは、例えば、対象者ＥＰの頭、肩、腕、手、腰、足及び各関節部等の位置である。
センサ１００は、検出した結果を示す情報（以下「検出結果情報」という。）をリハビリテーション支援制御装置３００に出力する。検出結果情報とは、例えば、対象者ＥＰの体の一部の位置情報である。 
なお、センサ１００は、対象者ＥＰにマーカを装着し、そのマーカの検出により対象者ＥＰを検出するセンサであっても構わない。
【００１４】
出力装置２００は、対象者ＥＰに対して行われるリハビリテーションに関する画像を出力する。出力装置２００は、例えば、プロジェクタ等の画像投影装置である。出力装置２００は、リハビリテーションを支援する画像を投影して、出力領域９００に表示する。出力画像の例としては、対象者ＥＰの体の一部の位置の移動履歴、及び、対象者ＥＰの体の一部の移動目標位置を含む画像を挙げることができる。例えば、歩行のリハビリテーションの場合、出力装置２００が対象者ＥＰの足の位置の移動履歴、及び、対象者ＥＰが足を動かして移動させる目標位置のうちいずれか一方又は両方を表示するようにしてもよい。また、手の移動のリハビリテーションの場合であれば、出力装置２００が、対象者ＥＰの手の位置の移動履歴、及び、対象者ＥＰが手を動かして移動させる目標位置のうちいずれか一方又は両方を表示するようにしてもよい。以下の説明では、対象者ＥＰの体の一部の位置の移動履歴を示す画像を履歴画像と称する。また、対象者ＥＰの体の一部の移動目標位置を示す画像を目標画像と称する。
【００１５】
リハビリテーション支援制御装置３００は、情報処理装置を用いて構成される。すなわち、リハビリテーション支援制御装置３００は、バスで接続されたＣＰＵ（Central Processor Unit）、メモリ及び補助記憶装置を備える。リハビリテーション支援制御装置３００は、リハビリテーション支援プログラムを実行することによって動作する。
【００１６】
センサ１００等は、脚部３１０によって支持される。脚部３１０は、上下方向に伸縮可能であり、センサ１００、出力装置２００の高さ位置を調整することができる。これにより、センサ１００による検出範囲の広さを調整することが可能である。また、出力装置２００が投影装置の場合、出力領域９００の広さを調整することが可能である。また、脚部３１０は、キャスター３１１、３１２、３１３、３１４を備えている。キャスター３１１〜３１４は転動可能であるため、手押しなどすることにより、リハビリテーション支援システム１を、フロア上で自由に移動させることができる。
【００１７】
図２は、リハビリテーション支援システム１に備わるリハビリテーション支援制御装置３００の機能構成例を示す概略ブロック図である。リハビリテーション支援制御装置３００は、入力部３１、出力部３２、記憶部３３、制御部３４、操作部３５及び表示部３６を備える。
入力部３１は、外部からの情報を入力するインタフェースである。例えば、入力部３１は、センサ１００から検出結果を示す情報（検出結果情報）を取得する。
出力部３２は、制御部３４によって生成された画像を出力装置２００に対して出力するインタフェースである。
【００１８】
記憶部３３は、磁気ハードディスク装置や半導体記憶装置等の記憶装置を用いて構成される。記憶部３３は、キャリブレーション情報記憶部３３１、判定条件情報記憶部３３２、検出履歴情報記憶部３３３、パラメータ情報記憶部３３４、プログラム情報記憶部３３５として機能する。
【００１９】
キャリブレーション情報記憶部３３１は、キャリブレーション情報を記憶する。キャリブレーション情報は、センサ１００の検出結果を示す座標の座標系と、出力装置２００が投影する画像面の座標系とを対応付ける情報である。従って、リハビリテーション支援制御装置３００におけるキャリブレーションは、センサ１００による検出範囲８００と、出力装置２００による画像の出力領域９００との位置関係を把握し、両者に共通の座標系を設定する処理である。なお、センサ１００が検出できる検出範囲は、図示する検出範囲８００より広くてもよい。本実施形態における検出範囲８００とは、出力領域９００上で行われる対象者ＥＰの動作において、対象者ＥＰの検出目的とする体の一部の位置情報を取得するのに必要な検出範囲のことである。なお、出力領域９００上とは、出力領域９００で規定される平面の領域だけではなく、その領域において、出力領域９００を基準とする所定高さまでの空間も含む。
【００２０】
キャリブレーション情報は、例えば事前にキャリブレーションを実施することによって得てもよい。
より具体的には、例えば出力装置２００がキャリブレーション用のマーカ画像を、画像面（画像の出力領域９００）の四隅など、複数箇所に投影する。リハビリテーション支援制御装置３００は、出力装置２００の座標系における座標を既知である。
【００２１】
出力装置２００がマーカ画像を投影すると、センサ１００は、各マーカ画像の位置を、センサ１００の座標系（センサ１００が検出位置を示すのに用いる座標系）における座標にてリハビリテーション支援制御装置３００へ出力する。これにより、リハビリテーション支援制御装置３００（制御部３４）は、各マーカの位置を、センサ１００の座標系における座標、及び、出力装置２００の座標系における座標の両方で取得する。また、リハビリテーション支援制御装置３００（制御部３４）は、四隅等に投影されたマーカ画像により、出力装置２００の座標系における出力領域９００の範囲を示す座標を把握する。これにより、後述する目標決定部３４５は、出力領域９００における出力装置２００の座標系における目標位置を計算することができる。
【００２２】
リハビリテーション支援制御装置３００（制御部３４）は、得られた座標に基づいて、センサ１００の座標系を補正するための情報をキャリブレーション情報として取得する。センサ１００が座標系調整機能を有している場合、リハビリテーション支援制御装置３００（制御部３４）は、この機能を利用してセンサ１００の座標系を出力装置２００の座標系に合わせるためのキャリブレーション情報を生成する。あるいは、出力装置２００が座標系調整機能を有している場合、リハビリテーション支援制御装置３００（制御部３４）が、この機能を利用して出力装置２００の座標系をセンサ１００の座標系に合わせるためのキャリブレーション情報を生成するようにしてもよい。
【００２３】
床面が光を散乱させてマーカ画像がぼやける場合など、センサ１００によるマーカ画像の検出が困難な場合は、マーカ画像を用いた位置検出の代わりに理学療法士等の操作者が手動で位置検出を行うようにしてもよい。出力装置２００が出力領域９００の全体に画像を投影している状態で、センサ１００が画像センサで投影画像全体を含む領域を撮像する。リハビリテーション支援制御装置３００は、センサ１００による撮像画像を表示画面に表示する。そして、リハビリテーション支援システム１の操作者は、モニタ画面に表示されている出力領域９００の四隅の各々をタッチ操作にて指定する。
モニタ画面に表示されている画像は、センサ１００が撮像した画像なので、操作者が指定した位置をセンサ１００の座標系における座標で取得し得る。リハビリテーション支援制御装置３００（制御部３４）は、この座標と、出力装置２００の座標系における出力領域９００の四隅の座標とに基づいて、キャリブレーション情報を取得する。なお、高さ方向の座標として、フロアの座標を用いる。
あるいは、理学療法士等が、例えばコーンなど物理的なマーカを画像面の四隅位置に置くようにしてもよい。この場合、センサ１００は、置かれたマーカを検出し、各マーカの座標を出力する。
【００２４】
出力装置２００が床面に画像を投影する場合、リハビリテーション支援システム１の初回使用時にキャリブレーションを行えば、２回目の使用時以降はキャリブレーションを行う必要が無い。センサ１００と床面との位置関係、及び、出力装置２００と床面との位置関係のいずれも変わらないため、初回使用時に得られたキャリブレーション情報を２回目以降の使用時にも使用できるためである。
【００２５】
判定条件情報記憶部３３２は、動作領域を判定するための条件を記憶する。動作領域については後述する。
検出履歴情報記憶部３３３は、認識部３４１が認識した対象者ＥＰの体の一部に関する位置情報（検出結果情報）の履歴を記憶する。例えば、歩行のリハビリテーションを行う場合、検出履歴情報記憶部３３３は、対象者ＥＰの足の位置の検出結果情報の履歴を記憶する。また、手の移動のリハビリテーションを行う場合、検出履歴情報記憶部３３３は、対象者ＥＰの手の位置の検出結果情報の履歴を記憶する。
【００２６】
パラメータ情報記憶部３３４は、後述する足用表示パラメータ設定部３４７が設定した足用表示パラメータ、後述する手用表示パラメータ設定部３４８が設定した手用表示パラメータ、後述する外乱用表示パラメータ設定部３４９が設定した外乱用表示パラメータを記憶する。
プログラム情報記憶部３３５は、リハビリテーション支援プログラムを記憶する。
【００２７】
制御部３４は、ＣＰＵを用いて構成される。制御部３４は、リハビリテーション支援プログラムを実行することによって、認識部３４１、表示制御部３４２、動作領域判定部３４３、記録部３４４、目標決定部３４５、評価部３４６、足用表示パラメータ設定部３４７、手用表示パラメータ設定部３４８、外乱用表示パラメータ設定部３４９として機能する。
【００２８】
認識部３４１は、入力部３１が取得した検出結果情報を取得し、検出結果情報が示す対象物を認識する。例えば、認識部３４１は、検出結果情報に基づいて、検出範囲８００に存在する人、テーブル、床、壁等を認識する。例えば、Ｋｉｎｅｃｔ（登録商標）を用いると、対象者ＥＰの人体上の複数の部位の位置を認識することができる。例えば、認識部３４１は、テーブル上の長尺状の検出対象の先端部を認識すると、その先端部の単位時間ごとの位置情報を検出する。認識部３４１は、センサ１００が時々刻々と検出したこれらの特徴点の位置情報により、対象者ＥＰの体の一部の位置の動きを認識する。例えば、長尺状の対象物を検出した場合、認識部３４１は、その対象物の先端の位置の動きを認識する。当該先端の位置の動きは、例えば、対象者ＥＰの手の位置として扱ってもよい。また、認識部３４１は、検出結果情報が示す対象物の形状と人の骨格モデルとの比較を行って対象物が人と認識できる場合、各部位の位置を認識する機能を有していてもよい。この機能によれば、認識部３４１は、人体の各部位の位置情報を、その部位に対応付けて認識することができる。例えば、対象者ＥＰがセンサ１００の前で直立する。すると、認識部３４１は、その状態で検出された検出結果情報と人の骨格モデルとの比較を行い、対象物が人の形状をしていることから対象物は人であると認識する。さらに、認識部３４１は、例えば、左のつま先とその位置情報、右のかかととその位置情報、左右の手首とそれぞれの位置情報というように、各部位の位置情報をそれぞれの部位に対応付けて認識する。骨格モデルによる各部位の位置を認識する機能（以下「骨格トラッキング機能」という。）を用いると、認識部３４１は、対象者ＥＰの各部位の位置の動きを認識することができる。このように認識部３４１は、検出結果情報に含まれる所定の形状をした対象物の所定の位置をトラッキングすることにより、又は、骨格トラッキング機能により、対象者ＥＰの体の一部の位置およびその動きを認識する。また、Ｋｉｎｅｃｔ（登録商標）を用いると、検出範囲８００に存在する物の座標情報（検出範囲８００に存在する物の所定間隔ごとの座標情報を含む点群データ）を得ることができる。認識部３４１は、検出結果情報（点群データ）を分析し、所定の広さ以上の面積を有し、Ｚ座標の値が変化しない面（要するに、Ｚ座標の値がほぼ一定の点群の集合）を、壁、フロア、テーブル等との平面として認識する。また、認識部３４１は、検出結果情報のうち、どのデータが、後述する動作領域判定部３４３が判定した動作領域に関連する対象者ＥＰの体の一部（検出対象部位）の検出データであるかを認識し、そのデータ（検出対象情報ＣＧ）を選択する。
【００２９】
ここで、動作領域とは、対象者ＥＰのリハビリテーションの目的とする動作が行われる領域のことである。より具体的には、リハビリテーションによって回復することを目的とする動作に強く関連する部位が動作する空間内の所定の領域のことである。また、例えば、動作領域とは、対象者ＥＰがリハビリテーションにおいてその部位を近接させる領域である。また、例えば、動作領域とは、対象者ＥＰのリハビリテーションにおいて、その動作の目標（到達点）となる位置を含む領域である。また、動作領域とは、対象者ＥＰがリハビリテーション中に目的とする動作を行う場所である。動作領域の具体例として、２次元領域の場合では、フロア、テーブル等を挙げることができる。例えば、フロアであれば、リハビリテーションによって回復することを目的とする動作に強く関連する部位は足であり、テーブルの場合の当該部位は手である。また、対象者ＥＰは、歩行動作のリハビリテーションにおいて足をフロアに近接させ、手の移動のリハビリテーションにおいては手をテーブルに近接させる。また、例えば、歩行動作のリハビリテーションにおいてフロアは、歩行動作の到達点となる位置（目標画像の表示位置）を含む領域であり、テーブルは手の移動のリハビリテーションにおける手の到達点となる位置（目標画像の表示位置）を含む領域である。また、フロア、テーブルはそれぞれ、歩行動作のリハビリテーション、手の移動のリハビリテーション中に目的となる動作を行う場所である。なお、動作領域が３次元である場合の具体例としては、テーブル上のテーブル表面を基準とする所定高さの範囲の空間（以下「３次元動作領域」という）を挙げることができる。例えば、出力装置２００は、テーブルに「１０ｃｍ」を意味する目標画像を表示する。例えば、テーブル上のある位置に「１０ｃｍ」と表示してもよい。これは、テーブルの当該目標画像が表示された位置の真上の空間の、テーブル表面を基準とする高さ１０ｃｍの位置が、手の到達点となる位置であることを意味する目標画像である。この目標画像が示す位置は、当該３次元動作領域に含まれている。この例の場合も、例えば、３次元動作領域は、リハビリテーションによって回復することを目的とする動作に強く関連する部位（手）が動作する領域である。また、３次元動作領域は、手の移動のリハビリテーションにおいて、手を近接させる領域である。また、３次元動作領域は、手の移動の到達点となる位置（目標画像が示す位置）を含む領域である。また、３次元動作領域は、対象者ＥＰが手の移動のリハビリテーション中に目的とする動作を行う場所である。なお、動作領域が３次元である場合の他の例として、出力領域９００上の空間を挙げることができる。例えば、動作領域が出力領域９００上の空間の場合、この空間に目標画像を投影し、対象者ＥＰがその目標画像を手で触れる等のリハビリテーションを行ってもよい。
【００３０】
表示制御部３４２は、出力装置２００が出力する画像を生成する。例えば、表示制御部３４２は、動作領域に表示して対象者ＥＰの動作を誘導する目標画像、リハビリテーションの評価結果の情報を含む画像、リハビリテーション中に行った対象者ＥＰの検出対象部位の動作の軌跡を示す画像などを生成する。
【００３１】
動作領域判定部３４３は、認識部３４１による認識結果に基づいて動作領域を判定する。後述するように、動作領域の判定方法は、様々であってよい。動作領域判定部３４３は、所定の判定条件に基づいて、例えば、動作領域がフロアであると判定する。また、例えば、動作領域判定部３４３は、動作領域がテーブルであると判定する。
【００３２】
動作領域判定部３４３は、動作領域を判定すると、対象者ＥＰの動作領域に関連する検出対象となる部位（検出対象部位）を決定する。検出対象部位とは、リハビリテーションの目的とする動作に関係が深い体の一部である。例えば、動作領域判定部３４３は、動作領域をフロアであると判定した場合、対象者ＥＰの足首を検出対象部位として決定する。あるいは、動作領域判定部３４３は、対象者ＥＰのつま先を検出対象部位として決定してもよい。また、例えば、動作領域判定部３４３は、動作領域をテーブルであると判定した場合、対象者ＥＰの手の甲を検出対象部位として決定する。あるいは、動作領域判定部３４３は、対象者ＥＰの指先を検出対象部位として決定してもよい。
【００３３】
なお、動作領域に関連する検出対象部位は、予め記憶部３３に設定されており、動作領域判定部３４３は、その情報と自らが判定した動作領域とに基づいて検出対象部位を決定する。検出対象部位には、例えば、リハビリテーションの目標とする動作において、動作範囲が大きい部位が設定されていてもよい。例えば、歩行動作のリハビリテーションであれば、動作範囲が大きい部位は、対象者ＥＰの足（足首、つま先、踵など）である。手の移動のリハビリテーションであれば、動作範囲が大きい部位は、対象者ＥＰの手（手首、指先、手の甲など）である。
【００３４】
あるいは、検出対象部位には、表示制御部３４２が生成する目標画像の表示位置に近接する部位が設定されていてもよい。例えば、歩行動作のリハビリテーションの場合、本実施形態では、対象者ＥＰが歩行動作において足を踏み出すべき位置に足型などを模した目標画像を表示するが、この場合、目標画像の表示位置に近接する部位とは、対象者ＥＰの足（足首、つま先、踵など）である。また、手の移動のリハビリテーションの場合、対象者ＥＰがタッチすべき位置に目標画像を表示するが、この場合、目標画像の表示位置に近接する部位とは、対象者ＥＰの手（手首、指先、手の甲など）である。
【００３５】
なお、認識部３４１は、検出結果情報に含まれる動作領域判定部３４３が決定した検出対象部位のデータ（体の一部の位置情報）を、記録部３４４を介して、検出履歴情報記憶部３３３に記録する。
記録部３４４は、検出結果情報を検出履歴情報記憶部３３３に書き込んで記録する。
【００３６】
目標決定部３４５は、認識部３４１が認識する対象者ＥＰの体の一部（検出対象部位）の位置に基づいて対象者ＥＰの体の一部の目標位置を決定する。例えば、歩行のリハビリテーションの場合、目標決定部３４５は、対象者ＥＰの現在の足の位置、及び、対象者ＥＰの足の位置の履歴のうち少なくともいずれかに基づいて、対象者ＥＰの足の移動目標位置を決定する。特に、目標決定部３４５が、対象者ＥＰの足の位置の履歴に基づいて対象者ＥＰの進行方向を判定し、判定した進行方向に応じて移動目標位置を決定するようにしてもよい。あるいは、目標決定部３４５が、対象者ＥＰの足の向きに基づいて対象者ＥＰの進行方向を判定し、判定した進行方向に応じて移動目標位置を決定するようにしてもよい。あるいは、目標決定部３４５が、対象者ＥＰの進行方向にかかわらず、例えばランダムな向きに、或いは所定のゴールの位置に向けて、移動目標位置を決定するようにしてもよい。
【００３７】
目標決定部３４５が、対象者ＥＰの体の検出対象部位の移動量を算出し、算出した移動量に基づいて移動目標位置を決定するようにしてもよい。例えば、認識部３４１が対象者ＥＰの足の位置を認識する場合、目標決定部３４５は、対象者ＥＰの足の位置の履歴に基づいて対象者ＥＰの歩幅を算出する。そして、目標決定部３４５は、対象者ＥＰの足の現在位置から歩幅分だけ移動した位置に移動目標位置を設定する。対象者ＥＰの歩幅は、対象者ＥＰの足の移動量を示しており、対象者ＥＰの体の検出対象部位の移動量の例に該当する。
認識部３４１が対象者ＥＰの足の位置の動きを認識する場合、目標決定部３４５が、対象者ＥＰの足が動いた間隔を歩幅として検出するようにしてもよい。あるいは、認識部３４１が、対象者ＥＰが床面に足をついた位置を認識する場合、目標決定部３４５が、対象者ＥＰが床面に足をついた位置から次に足をついた位置までの間隔を歩幅として検出するようにしてもよい。
【００３８】
評価部３４６は、対象者ＥＰの体の検出対象部位の位置と移動目標位置との位置関係を評価する。例えば、評価部３４６は、認識部３４１が認識した対象者ＥＰの体の部位の位置と、目標決定部３４５が決定した移動目標位置との距離を算出する。そして、評価部３４６は、算出した距離が所定の閾値以下か否かを判定する。対象者ＥＰの体の検出対象部位と移動目標位置との距離が閾値以下であると判定した場合、評価部３４６は、目標位置到達と評価する。一方、対象者ＥＰの体の検出対象部位と移動目標位置との距離が閾値より大きいと判定した場合、評価部３４６は、目標位置不到達と評価する。
【００３９】
評価部３４６が用いる距離の閾値は、複数の対象者ＥＰに共通に予め設定された定数であってもよい。あるいは、評価部３４６が、対象者ＥＰの歩幅の１０分の１を閾値に設定するなど対象者ＥＰ毎に閾値を設定するようにしてもよい。また、評価部３４６が用いる距離の閾値は、複数種類のリハビリテーションに共通に設定されていてもよいし、リハビリテーションの種類毎に設定されていてもよい。また閾値の大きさは、手を移動させるリハビリテーションよりも足を移動させるリハビリテーションの方が大きくなるよう設定されていてもよい。
【００４０】
また、評価部３４６が、対象者ＥＰの体の一部の位置（検出対象部位）と移動目標位置との相対的な位置関係を評価する段階数は、上述した目標位置到達又は目標位置不到達の２段階に限らず、３段階以上の多段階であってもよい。例えば、評価部３４６が、目標位置到達か否かの判定閾値に加えてさらに目標位置不到達の場合のずれの大小の判定閾値を用いて、目標位置到達、ずれ小、ずれ大の３段階で評価を行うようにしてもよい。
【００４１】
また、評価部３４６が対象者ＥＰの体の検出対象部位の位置と移動目標位置との位置関係を評価する方法は、閾値を用いる方法のみに限らない。例えば、評価部３４６が、対象者ＥＰの体の検出対象部位の位置と移動目標位置との重なりの有無を判定し、重なり有りと判定した場合に目標位置到達と評価するようにしてもよい。
さらに、例えば歩行のリハビリテーションの場合、目標決定部３４５が、移動目標位置を面積のある範囲にて床面上に決定し、認識部３４１が、対象者ＥＰの足の位置を、対象者ＥＰの足の形状の範囲にて認識するようにしてもよい。そして、評価部３４６が、移動目標位置として決定されている範囲と、対象者ＥＰの足の位置として検出された範囲との重なりの有無を判定するようにしてもよい。
【００４２】
足用表示パラメータ設定部３４７は、歩行などの足を移動させるリハビリテーションにおいて、足用表示パラメータを設定する。足用表示パラメータは、対象者ＥＰが足を移動させるときの目標画像の表示に用いられるパラメータである。
手用表示パラメータ設定部３４８は、手を動かすリハビリテーションにおいて、手用表示パラメータを設定する。手用表示パラメータは、対象者ＥＰが手を動かすときの目標画像の表示に用いられるパラメータである。
外乱用表示パラメータ設定部３４９は、外乱用表示パラメータを設定する。外乱用表示パラメータは、リハビリテーションの対象者ＥＰが足または手を所定の目標画像まで移動させるときに、対象者ＥＰが足または手を目標画像まで移動させる妨げとなる外乱の表示に用いられるパラメータである。または、外乱用表示パラメータは、リハビリテーションの対象者ＥＰが足または手を回避目標となる目標画像から回避させるときに、対象者ＥＰが足または手を目標画像から回避させる妨げとなる外乱の表示に用いられるパラメータである。
【００４３】
操作部３５は、キーボード、ポインティングデバイス（マウス、タブレット等）、ボタン、タッチパネル等の既存の入力装置を用いて構成される。操作部３５は、理学療法士等の指示をリハビリテーション支援制御装置３００に入力する際に理学療法士等によって操作される。操作部３５は、入力装置をリハビリテーション支援制御装置３００に接続するためのインタフェースであってもよい。この場合、操作部３５は、入力装置において理学療法士等の入力に応じ生成された入力信号をリハビリテーション支援制御装置３００に入力する。操作部３５は、表示部３６と一体のタッチパネルとして構成されてもよい。
【００４４】
表示部３６は、ＣＲＴ（Cathode Ray Tube）ディスプレイ、液晶ディスプレイ、有機ＥＬ（Electro Luminescence）ディスプレイ等の画像表示装置である。表示部３６は、画像や文字を表示する。表示部３６は、画像表示装置をリハビリテーション支援制御装置３００に接続するためのインタフェースであってもよい。この場合、表示部３６は、画像や文字を表示するための映像信号を生成し、自身に接続されている画像表示装置に映像信号を出力する。
【００４５】
図３は、リハビリテーション支援制御装置３００による第一動作領域を説明するための斜視図である。
図３は、対象者ＥＰがテーブルＴ（第一動作領域）上で手の移動のリハビリテーションを行っている様子を示している。出力装置２００は、テーブルＴに目標画像Ｍ１を投影している。対象者ＥＰは、出力装置２００が出力領域９００に出力する目標画像Ｍ１に基づいて、手の移動に関するリハビリテーションを行う。
センサ１００は、対象者ＥＰが検出範囲８００内において手を移動する際の対象者ＥＰの体の一部の位置を検出し、検出結果情報を所定の時間毎にリハビリテーション支援制御装置３００に出力する。
【００４６】
図４は、リハビリテーション支援システム１における画像の表示例を示す平面図である。図４では、リハビリテーション支援システム１を用いて手の動作のリハビリテーションを行う場合の画像の例を示している。図４の例では、出力装置２００の画像の投影によって、机上の投影面（出力領域９００）に画像が表示されている。具体的には、目標位置の履歴を示す目標画像Ｍ１１１ａ、Ｍ１１１ｂ、Ｍ１１２ａ及びＭ１１２ｂと、対象者ＥＰの手の位置の履歴画像Ｍ１２１ａ及びＭ１２１ｂと、対象者ＥＰの現在の手の位置を示す画像Ｍ１３１ａ及びＭ１３１ｂと、次の目標位置を示す目標画像Ｍ１４１ａ及びＭ１４１ｂとが、それぞれ手の形の画像で示されている。図４では、符号の「ａ」は右手を示し、「ｂ」は左手を示す。例えば、目標画像Ｍ１１１ａは、右手の目標位置の履歴を示す。目標画像Ｍ１１１ｂは、左手の目標位置の履歴を示す。
【００４７】
但し、リハビリテーション支援システム１におけるこれらの画像は、体の検出対象部位の形状の画像に限らない。例えば、出力装置２００が、右手の目標位置を赤丸で表示し、左手の目標位置を青丸で表示するなど、体の検出対象部位の形状の画像に代えて丸印を表示するようにしてもよい。
【００４８】
このように、表示制御部３４２が、出力装置２００を制御してテーブルＴに目標画像および履歴画像を表示させることで、対象者ＥＰが、直感的に自分が目標に対して手を移動させた実績を把握できる。
【００４９】
図５は、リハビリテーション支援制御装置３００による第二動作領域を説明するための斜視図である。
図５は、対象者ＥＰがフロアＦＬ（第二動作領域）上で歩行動作のリハビリテーションを行っている様子を示している。出力装置２００は、フロアＦＬに目標画像Ｍ２〜Ｍ５を投影している。対象者ＥＰは、出力装置２００が出力領域９００に出力する目標画像Ｍ２〜Ｍ５に基づいて、歩行動作のリハビリテーションを行う。例えば、対象者ＥＰは、目標画像Ｍ２〜Ｍ５に示されるスタート位置から目標位置まで歩行するリハビリテーションを行う。センサ１００は、対象者ＥＰが検出範囲８００内において対象者ＥＰの足の位置を検出し、検出結果情報を所定の時間毎にリハビリテーション支援制御装置３００に出力する。
【００５０】
図６は、リハビリテーション支援システム１における画像の表示の例を示す平面図である。
図６は、リハビリテーション支援システム１における画像の表示の、もう１つの例を示す図である。図６では、リハビリテーション支援システム１を用いて歩行のリハビリテーションを行う場合の画像の例を示している。図６の例では、出力装置の画像の投影によって、床上の投影面（出力領域９００）に画像が表示されている。具体的には、目標位置の履歴を示す目標画像Ｍ２１１〜Ｍ２１４と、対象者ＥＰの足の位置の履歴画像Ｍ２２１〜Ｍ２２３と、対象者ＥＰの現在の足の位置を示す画像Ｍ２３１と、次の目標位置を示す目標画像Ｍ２４１とが、それぞれ足の形の画像で示されている。
【００５１】
図４の例では、右手、左手それぞれの目標位置が表示されていたのに対し、図６の例では、左足の次の目標画像Ｍ２４１が示されているものの、右足の次の目標画像は示されていない。手の移動では、右手と左手とを同時に動かし得るのに対し、歩行では右足と左足とを交互に動かすからである。なお、本実施形態のリハビリテーション支援システム１によれば、足の移動のリハビリテーションとして、歩行（左右の足を交互に踏み出す動作）だけではなく、片足だけを連続して移動させたり、「けんけんぱ」のように両足を同時に移動させたりする足の移動を訓練することも可能である。その場合、出力装置２００は、それぞれの足の移動に応じた目標画像、履歴画像を出力領域９００に出力する。
なお、図４を参照して説明したのと同様、出力装置２００が表示する画像は、足の形の画像に限らない。例えば、出力装置２００が、右足の目標位置を赤丸で表示し、左足の目標位置を青丸で表示するなど、足の形の画像に代えて丸印を表示するようにしてもよい。また上記の実施形態とは逆に、左右の足の目標画像を片方ずつ表示するのではなく、常に先行して左右の足の目標画像を共に表示するようにしてもよい。また現在の足の位置画像と過去の足の位置の履歴画像で異なる表示とすることも可能である。例えば現在の足の位置画像は円、方形などの図形で表示し、過去の左右の足の履歴画像は「足あと」の図形で表示してもよい。
【００５２】
このように、表示制御部３４２が、出力装置２００を制御してフロアＦＬに目標画像および履歴画像を表示させることで、対象者ＥＰが、直感的に自分が目標に対して足を移動させた実績を把握できる。
【００５３】
次に図７〜図１１を用いて、対象者のリハビリテーション検出対象情報の検出および記録処理の流れについて説明する。
図７は、リハビリテーション支援制御装置３００による動作領域の判定処理の一例を示すフローチャートである。
図８は、リハビリテーション支援制御装置３００が手の移動目標となる目標画像を映し出す例を示す斜視図である。
図９は、リハビリテーション支援制御装置３００が手の外乱を映し出す例を示す図である。
図１０は、足用表示パラメータ設定部３４７がステップの値を設定する例を示す図である。
図１１は、リハビリテーション支援制御装置３００が、対象者ＥＰが歩行する際の回避目標となる目標画像を映し出す例を示す斜視図である。
まず、理学療法士又は作業療法士がこれから行おうとするリハビリテーション内容に応じて、対象者ＥＰがリハビリテーションを行う環境にリハビリテーション支援システム１を移動させる。また、脚部３１０の高さを適切に調節する。次に、対象者ＥＰが、検出範囲８００で、これから行うリハビリテーション内容に応じた姿勢を取る。例えば、テーブル上での腕のリハビリテーションを行う場合であれば、対象者ＥＰは椅子に座ってテーブル上に手を置く姿勢を取る。また、例えば、歩行動作のリハビリテーションを行う場合、対象者ＥＰは起立した姿勢を取る。対象者ＥＰがこれらの姿勢を取ると、理学療法士等がリハビリテーション支援制御装置３００に準備開始指示情報を入力する。操作部３５は、その準備開始指示情報を取得する（ステップＳ１０）。なお、理学療法士等がリハビリテーション支援制御装置３００に準備開始指示情報を入力した後に、対象者ＥＰが、検出範囲８００で、これから行うリハビリテーション内容に応じた姿勢を取っても良い。
【００５４】
すると、センサ１００が検出を開始し、入力部３１は、検出結果情報を取得する（ステップＳ１１）。入力部３１は、検出結果情報を制御部３４へ出力する。制御部３４では、認識部３４１が検出結果情報を取得し、対象者ＥＰの動作を認識する。あるいは、認識部３４１は、検出範囲８００に存在するテーブル、フロア等を認識する。認識部３４１は、認識結果を動作領域判定部３４３へ出力する。
【００５５】
次に動作領域判定部３４３は、図３及び図５を用いて説明した方法によって動作領域を判定する（ステップＳ１２）。例えば、動作領域判定部３４３は、認識部３４１による認識結果が、対象者ＥＰの全身を認識したことを示していれば、動作領域はフロアＦＬであると判定してもよい。また、例えば、動作領域判定部３４３は、認識結果がテーブルＴの存在を示していれば、動作領域はテーブルＴであると判定してもよい。動作領域判定部３４３は、この他にも、上述した様々な判定方法を用いて動作領域の判定を行うことができる。次に動作領域判定部３４３は、動作領域はフロアＦＬかどうかを判定する（ステップＳ１３）。動作領域がフロアＦＬの場合（ステップＳ１３；Ｙｅｓ）、動作領域判定部３４３は、検出対象部位を対象者ＥＰの足（例えば、足首又はつま先）に設定する（ステップＳ１７）。動作領域判定部３４３が、検出対象部位を対象者ＥＰの足に設定すると、次に足用表示パラメータ設定部３４７は、足を移動させるリハビリテーションにおける足用表示パラメータを設定する（ステップＳ１８）。足用表示パラメータは、対象者ＥＰが足を移動させるときの目標画像の表示に用いられるパラメータである。
【００５６】
足用表示パラメータには、例えば、足用距離パラメータ、足用時間パラメータ、足用ベクトルパラメータなどが含まれる。足用距離パラメータには、例えば、目標画像が示す歩幅を決定するために用いられるパラメータ（図１０に示すステップの値）、目標画像が示すスタンス（歩隔を含む）を決定するために用いられるパラメータ（図１０に示す歩隔）などが含まれている。スタンスとは、対象者の前方（例えば体の前面や顔面が向く方向や進行予定の方向）に伸びる２本の平行線であって対象者の２つの脚の所定部位（例えば踵や親指の先端）をそれぞれ通る平行線の距離を表す。また、足用時間パラメータには、例えば、目標画像が表示されリハビリテーションが行われる総時間を示すパラメータ、現在表示されている目標画像が表示されてから目標画像が表示される次のタイミングまでの時間を示すパラメータなどが含まれている。また、足用ベクトルパラメータには、例えば、現在表示されている目標画像を基準とした次のタイミングに表示される目標画像の表示方向を決定するために用いられるパラメータなどが含まれる。足用表示パラメータ設定部３４７は、指定された足用距離パラメータ、足用時間パラメータ、足用ベクトルパラメータなどをパラメータ情報記憶部３３４に記録する。これらのパラメータを設定することにより、例えば、図６に例示したような足型の目標画像を対象者ＥＰのリハビリテーションの内容に応じて表示することができる。
【００５７】
この他にも、例えば、足用表示パラメータ設定部３４７は、目標画像が、対象者ＥＰが歩行するときの回避目標となるリハビリテーションの場合に、操作部３５から入力された情報に応じて、足用表示パラメータを設定する。目標画像が、対象者ＥＰが歩行するときの回避目標となるリハビリテーションとは、例えば、図１１に示すように、リハビリテーション支援制御装置３００が、対象者ＥＰが横断歩道を歩行するときに回避目標となる自動車の形状をした目標画像を映し出し、対象者ＥＰが目標画像を回避するリハビリテーションである。
【００５８】
足用表示パラメータ設定部３４７が足用表示パラメータを設定すると、次に外乱用表示パラメータ設定部３４９は、足の外乱用表示パラメータを設定する（ステップＳ１９）。
例えば、リハビリテーション支援制御装置３００が専用アプリケーションを実行し、理学療法士等がリハビリテーション支援制御装置３００に対して種々の情報を入力する。外乱用表示パラメータ設定部３４９は、目標画像が、対象者ＥＰが歩行するときの足の移動目標となるリハビリテーションの場合に、リハビリテーション支援制御装置３００に入力された情報に応じて、外乱用表示パラメータを設定する。
外乱用表示パラメータは、例えば、リハビリテーション支援制御装置３００が、対象者ＥＰが横断歩道を歩行するときに、リハビリテーションの対象者ＥＰが足を所定の目標画像まで移動させる妨げとなる自動車の形状をした外乱を画像として映し出すために用いられるパラメータである。
【００５９】
足の外乱用表示パラメータには、例えば、外乱用距離パラメータ、外乱用時間パラメータ、外乱用ベクトルパラメータなどが含まれる。外乱用距離パラメータには、例えば、現在表示されている外乱から次のタイミングに表示される外乱までの距離を決定するために用いられるパラメータなどが含まれる。また、外乱用時間パラメータには、例えば、現在表示されている外乱が現在と異なる位置に表示されるまでの時間を示すパラメータなどが含まれる。また、外乱用ベクトルパラメータには、例えば、現在表示されている外乱を基準とした次のタイミングに表示される外乱の表示方向を決定するために用いられるパラメータが含まれる。外乱用表示パラメータ設定部３４９は、指定された外乱用距離パラメータ、外乱用時間パラメータ、外乱用ベクトルパラメータなどをパラメータ情報記憶部３３４に記録する。
【００６０】
一方、動作領域がフロアＦＬではない場合（ステップＳ１３；Ｎｏ）。動作領域判定部３４３は、検出対象部位を手（例えば、手の甲又は指先）に設定する（ステップＳ１４）。動作領域判定部３４３は、検出対象部位の情報を認識部３４１へ出力する。また、動作領域判定部３４３は、動作領域を、表示制御部３４２へ出力する。動作領域判定部３４３が、検出対象部位を対象者ＥＰの手に設定すると、次に手用表示パラメータ設定部３４８は、手用表示パラメータを設定する（ステップＳ１５）。例えば、リハビリテーション支援制御装置３００が専用アプリケーションを実行し、作業療法士等がリハビリテーション支援制御装置３００に対して種々の情報を入力する。手用表示パラメータ設定部３４８は、目標画像が、対象者ＥＰが手を動かすときの手の移動目標となるリハビリテーションの場合に、リハビリテーション支援制御装置３００から入力された情報に応じて、手用表示パラメータを設定する。
目標画像が、対象者ＥＰが手を動かすときの手の移動目標となるリハビリテーションとは、例えば、図８に示すように、リハビリテーション支援制御装置３００が、対象者ＥＰが手を動かすときの手の移動目標となるリンゴの形状をした目標画像を映し出し、対象者ＥＰが目標画像の位置に手を移動させるリハビリテーションである。
【００６１】
手用表示パラメータには、例えば、手用位置パラメータ、手用時間パラメータ、手用ベクトルパラメータなどが含まれる。手用位置パラメータには、例えば、目標画像が表示されるエリアを決定するために用いられるパラメータなどが含まれる。手用時間パラメータには、現在表示されている目標画像が現在と異なる位置に表示されるまでの時間を示す時間パラメータなどが含まれる。手用ベクトルパラメータには、現在表示されている目標画像を基準とした次のタイミングに表示される目標画像の表示方向を決定するために用いられるパラメータなどが含まれる。手用表示パラメータ設定部３４８は、指定された手用距離パラメータ、手用時間パラメータ、手用ベクトルパラメータなどをパラメータ情報記憶部３３４に記録する。これらのパラメータを設定することにより、例えば、図４に例示したような目標画像を、対象者ＥＰのリハビリテーションの内容に応じて表示することができる。
【００６２】
手用表示パラメータ設定部３４８が手用表示パラメータを設定すると、外乱用表示パラメータ設定部３４９は、手の外乱用表示パラメータを設定する（ステップＳ１６）。
例えば、リハビリテーション支援制御装置３００が専用アプリケーションを実行し、作業療法士等がリハビリテーション支援制御装置３００に対して種々の情報を入力する。外乱用表示パラメータ設定部３４９は、目標画像が、対象者ＥＰが手を動かすときの手の移動目標となるリハビリテーションの場合に、リハビリテーション支援制御装置３００に入力された情報に応じて、外乱用表示パラメータを設定する。
手の外乱用表示パラメータは、例えば、図９に示すように、リハビリテーション支援制御装置３００が、対象者ＥＰが選択したキャラクターである目標画像の位置に手を動かすときに、手の移動の妨げとなる選択してはいけないキャラクターである外乱を画像として映し出すために用いられるパラメータである。
【００６３】
手の外乱用表示パラメータには、例えば、外乱用距離パラメータ、外乱用時間パラメータ、外乱用ベクトルパラメータなどが含まれる。外乱用距離パラメータには、例えば、現在表示されている外乱から次のタイミングに表示される外乱までの距離を決定するために用いられるパラメータなどが含まれる。また、外乱用時間パラメータには、例えば、現在表示されている外乱が現在と異なる位置に表示されるまでの時間を示すパラメータなどが含まれる。また、外乱用ベクトルパラメータには、例えば、現在表示されている外乱を基準とした次のタイミングに表示される外乱の表示方向を決定するために用いられるパラメータが含まれる。外乱用表示パラメータ設定部３４９は、指定された外乱用距離パラメータ、外乱用時間パラメータ、外乱用ベクトルパラメータなどをパラメータ情報記憶部３３４に記録する。以上で実際のリハビリテーションの準備処理が完了する。次に対象者ＥＰが、準備処理において判定した動作領域でのリハビリテーションを開始する。
【００６４】
次に、リハビリテーション中の対象者ＥＰの認識処理について説明する。
リハビリテーションを行う対象者ＥＰが検出範囲８００に入ってリハビリテーションを開始する。また、理学療法士等は、対象者ＥＰの氏名、性別、身長等と共に、リハビリーション開始指示情報をリハビリテーション支援制御装置３００に入力する。すると、操作部３５がリハビリテーション開始指示情報を取得する（ステップＳ２０）。次に、表示制御部３４２は、動作領域に応じた目標画像を生成する。例えば、動作領域がフロアＦＬの場合、表示制御部３４２は、足型を表示した目標画像を生成する。また、目標決定部３４５は、その目標画像を表示する位置の座標情報を計算する。目標画像を表示する位置は、ステップＳ１８で設定した足用表示パラメータに応じて変化させてもよい。また、動作領域がテーブルの場合、表示制御部３４２は、対象者ＥＰが手でタッチする対象となるターゲットを表示した目標画像を生成する。また、目標決定部３４５は、その表示位置の座標情報を計算する。出力部３２は、これらの情報（目標画像と表示位置）を取得し、出力装置２００に出力指示を行う。出力装置２００は、出力部３２の指示に従って、表示制御部３４２が生成した目標画像を出力領域９００に表示する（ステップＳ２１）。このように、出力装置２００が動作領域に目標画像を表示すると、対象者ＥＰは、その表示位置に検出対象部位に関連する体の部位を移動させる動作を行う。例えば、足型の目標画像が表示された場合、対象者ＥＰは、足型が表示された位置に足を移動させる。また、例えば、テーブル上にターゲットの目標画像が表示された場合、対象者ＥＰは、目標画像が表示された位置に手を移動させ、テーブルにタッチする。
センサ１００は、対象者ＥＰの動作を検出し続け、リハビリテーション支援制御装置３００へ出力する。リハビリテーション支援制御装置３００では、入力部３１が検出結果情報を取得し（ステップＳ２２）、検出結果情報を、制御部３４へ出力する。
【００６５】
制御部３４では、認識部３４１が検出結果情報を取得する。認識部３４１は、検出結果情報を取得すると、その中から検出対象部位のデータを選択する。例えば、Ｋｉｎｅｃｔ（登録商標）を利用した場合、認識部３４１は、検出結果情報として、対象者ＥＰの複数の部位についての位置情報を取得する。認識部３４１は、その中から、動作領域判定部３４３が決定した検出対象部位の位置情報を選択する。例えば、動作領域判定部３４３が決定した検出対象部位が足（動作領域がフロア）の場合、認識部３４１は、検出結果情報の中から足（例えば、足首）の位置情報を選択する。また、例えば、動作領域判定部３４３が決定した検出対象部位が手（動作領域がテーブル）の場合、認識部３４１は、検出結果情報の中から手（例えば、手の甲）の位置情報を選択する。認識部３４１は、選択した検出対象部位とその位置情報を記録部３４４へ出力する。記録部３４４は、検出対象部位の検出結果情報を検出履歴情報記憶部３３３へ記録する（ステップＳ２３）。このように、認識部３４１は、検出結果情報に対象者ＥＰの動作に関する全身のデータが含まれている場合でも、検出結果情報に含まれるデータのうち、どのデータが動作領域に関連する検出対象部位のデータであるかを認識し、そのデータを選択する。そして、記録部３４４は、選択された検出対象部位の検出結果情報（位置情報）だけを記録する。
【００６６】
次に、表示制御部３４２は、履歴画像を生成し出力部３２へ出力する。出力装置２００は、出力部３２の指示に従って、履歴画像を出力領域９００に表示する（ステップＳ２４）。
次に、制御部３４は、検出処理を終了するかどうかを判定する（ステップＳ２５）。例えば、理学療法士等がリハビリテーション終了指示情報を入力した場合、制御部３４は、操作部３５を介してその情報を取得し、検出処理を終了すると判定する。また、対象者ＥＰが検出範囲８００の外に出てしまった場合や対象者ＥＰの手が検出範囲８００の外に出てしまった場合、あるいは、予め設定されたリハビリテーションの実施時間が経過した場合にも、制御部３４は、検出処理を終了すると判定する。
終了しないと判定した場合（ステップＳ２５；Ｎｏ）、ステップＳ２１からの処理を繰り返す。
終了すると判定した場合（ステップＳ２５；Ｙｅｓ）、制御部３４は、目標画像の生成処理や検出対象部位のデータを記録する処理を終了する。なお、表示制御部３４２は、検出履歴情報記憶部３３３に記録された対象者ＥＰの検出対象部位のデータ（検出対象情報ＣＧ）から、今回のリハビリテーションにおける対象者ＥＰの動作結果（例えば、検出対象部位が動いた軌跡）を表示する画像（以下、結果画像ＲＰと記載する。）を生成し、出力装置２００がこの画像を表示してもよい。ここで、結果画像ＲＰとは、画像情報の一例である。
【００６７】
次に図１２を用いて、リハビリテーション中にパラメータ設定を行う処理について説明する。
図１２は、リハビリテーション支援システム１を用いたリハビリテーションにおけるパラメータ設定の一例を示すフローチャートである。
まず、リハビリテーションの実施前に理学療法士等が、対象者ＥＰについてのパラメータ（足用表示パラメータ等）を設定する（ステップＳ３０）。具体的には、理学療法士等が、リハビリテーション支援制御装置３００に設けられた表示画面（表示部３６）を参照して、各種パラメータをリハビリテーション支援制御装置３００に入力する。次に理学療法士等が、リハビリテーション支援制御装置３００に準備開始指示情報を入力し、リハビリテーションを実施する（ステップＳ３１）。上記のとおり、リハビリテーション支援制御装置３００の動作領域判定部３４３は、動作領域を判定して検出対象部位の設定を行う。動作領域がフロアＦＬの場合、足用表示パラメータ設定部３４７が、ステップＳ３０で入力された足用表示パラメータの設定を行う。また、外乱用表示パラメータ設定部３４９が、ステップＳ３０で入力された足の外乱用表示パラメータの設定を行う。一方、動作領域がテーブルＴの場合、手用表示パラメータ設定部３４８が、ステップＳ３０で入力された手用表示パラメータを設定し、外乱用表示パラメータ設定部３４９が、ステップＳ３０で入力された手の外乱用表示パラメータの設定を行う。足用表示パラメータ設定部３４７等によるパラメータの設定が終了すると、表示制御部３４２が、動作領域に応じて目標画像等を生成し、出力装置２００がそれらの画像を表示する。対象者ＥＰは、表示された目標画像に基づいてリハビリテーションを行う。予め定められた一連のリハビリテーション・プログラムが終了すると、表示制御部３４２が、リハビリテーション結果を含む画像を生成し、出力装置２００がリハビリテーション結果を表示する（ステップＳ３２）。リハビリテーション結果とは、例えば、評価部３４６によるリハビリテーション・プログラムを通した評価結果の実績値である。リハビリテーション結果は、例えば、目標画像の全表示数に対して評価部３４６が目標位置到達と評価した回数の割合として表示されてもよい。
【００６８】
次に理学療法士等が、リハビリを続けるかどうかを判断する。例えば、理学療法士等は、予め定められた時間分だけリハビリテーションを行ったかどうかでリハビリテーションを続けるかどうかを判断してもよい。あるいは、理学療法士等は、対象者ＥＰの疲れ具合やリハビリテーション結果が示す達成具合に基づいてリハビリテーションを続けるかどうかを判断してもよい。リハビリテーションを続けないと判断した場合（ステップＳ３３；Ｎｏ）、フローチャートを終了する。
【００６９】
リハビリテーションを続けると判断した場合（ステップＳ３３；Ｙｅｓ）、理学療法士等は、パラメータ設定の見直しが必要かどうかを判断する（ステップＳ３４）。例えば、対象者ＥＰのリハビリテーション結果が予想を上回る場合、理学療法士等は、より難易度の高い動作を要求するようなパラメータ設定にするよう見直しが必要であると判断する。又は、対象者ＥＰの手の移動や足の移動が予想通りであって、再度、同じ難易度の手や足の移動を訓練した方が良いと思われるような場合、理学療法士等は、パラメータ設定の見直しは必要ないと判断する。パラメータ設定の見直しが必要ないと判断した場合（ステップＳ３４；Ｎｏ）、理学療法士等は、リハビリテーション支援制御装置３００に開始指示情報を入力し、ステップＳ３１からの処理を繰り返す。なお、同じ対象者ＥＰに対して同じ動作領域でのリハビリテーションの実施を繰り返す場合、動作領域判定部３４３による動作領域の判定処理を省略してもよい。
パラメータ設定の見直しが必要と判断した場合（ステップＳ３４；Ｙｅｓ）、理学療法士等は、新しいパラメータを検討する（ステップＳ３５）。例えば、今回のリハビリテーション結果が良好だった場合、理学療法士等は、より難易度の高い動作を要求するようなパラメータを検討する。あるいは、今回のリハビリテーション結果が良好ではなかった場合、理学療法士等は、難易度の低い動作を要求するようなパラメータを検討する。パラメータを検討し終えると、理学療法士等は、その新しいパラメータを設定し（ステップＳ３０）、ステップＳ３１からの処理を繰り返す。本実施形態のリハビリテーション支援システム１によれば、パラメータを任意に設定することができるので、対象者ＥＰは、体調や能力に応じたリハビリテーションを実施することができる。なお上記の説明においては、リハビリテーション支援制御装置３００に設けられた表示画面（表示部３６）を参照してパラメータ入力・設定を実行したが、出力装置２００から出力されたパラメータ設定画面を参照して、フロアやテーブル上に表示された設定画面上で各種パラメータ入力・設定を実行してもよい。
【００７０】
本実施形態によれば、理学療法士が行うフロアＦＬでのリハビリテーション及び作業療法士が行うテーブルＴでのリハビリテーションにおける対象者ＥＰの動作情報（本実施形態の検出対象情報ＣＧ）の記録を、１台のリハビリテーション支援システム１で行うことができる。例えば、歩行動作のリハビリテーションを行う場所と手の移動のリハビリテーションを行うテーブルＴとが離れた位置に存在しても、リハビリテーション支援システム１を移動させて、それぞれの位置で対象者ＥＰの動作を検出し、動作情報を記録することができる。また、手の移動のリハビリテーションを、歩行動作のリハビリテーションを行う場所にテーブルＴを設置して行うような場合、リハビリテーションの前に動作領域判定部３４３に動作領域を判定させるだけで、歩行動作のリハビリテーションを検出するモードと手の移動のリハビリテーションを検出するモードとを切り替えることができる。従って、リハビリテーションの種類ごとにリハビリテーション支援制御装置を導入する必要が無い。また、複数のリハビリテーション支援制御装置を導入した場合、各装置が出力する対象者ＥＰに関するデータのデータ構造は異なることが一般的である。データ構造が異なると、例えば、ある対象者ＥＰのリハビリテーション履歴を解析するような場合、データの扱いが複雑になり大変である。本実施形態では、対象者ＥＰに関して記録するデータは、両手又は両足の一つの部位の位置情報であり、共通のデータ構造で記録、処理することができる。そのため、記録したデータの解析処理等を共通化することができ、データの扱いが容易になる。また、対象者ＥＰがどのような動作をしようとも、リハビリテーションの目的とする動作に関連した部位の左右一対のデータに絞って認識処理及び記録処理を行うので、処理を高速化、簡素化することができる。また、一般的なモーションキャプチャでは、対象者ＥＰの動作を検出するために、対象者ＥＰはマーカを装着する必要があり手間がかかるといった問題があるが、本実施形態のリハビリテーション支援システム１であれば、対象者ＥＰはマーカを装着する必要が無く、簡単に対象者ＥＰの動作を検出することができる。
【００７１】
［認識情報の具体例：リハビリテーション内容が歩行の場合］
以下、図１３及び図１４を参照して、リハビリテーション内容が歩行である場合の検出対象情報ＣＧ及び結果画像ＲＰのより具体的な例について説明する。
図１３は、リハビリテーション内容が歩行である場合の認識部３４１の認識の一例を示す平面図である。
上述したように、認識部３４１は、人体の各部位の位置情報を、その部位に対応付けて認識することができる。また、この一例では、認識部３４１は、対象者ＥＰの体の一部（検出対象部位）の検出データであるかを認識し、検出対象情報ＣＧを表示制御部３４２に供給する。以降の説明において、認識部３４１が認識する対象者ＥＰの体の一部（検出対象部位）をリハビリ対象部位ＴＰと記載する。認識部３４１は、認識した対象者ＥＰのリハビリ対象部位ＴＰの位置を示す検出対象情報ＣＧを表示制御部３４２に供給する。
上述したように、この一例では、リハビリ対象部位ＴＰが、足である。具体的には、リハビリ対象部位ＴＰが、右足及び左足である。したがって、認識部３４１は、対象者ＥＰの位置のうち、対象者ＥＰの右足及び左足の位置を認識する。
認識部３４１は、対象者ＥＰの歩行に伴い、右足が着地するフロアＦＬ上の位置の座標を示す右足位置ＲＦＬを検出対象情報ＣＧとして表示制御部３４２に供給する。また、認識部３４１は、対象者ＥＰの歩行に伴い、左足が着地するフロアＦＬ上の位置の座標を示す左足位置ＬＦＬを検出対象情報ＣＧとして表示制御部３４２に供給する。
【００７２】
図１３に示す通り、この一例では、右足及び左足がそれぞれ５回ずつ着地する。認識部３４１は、右足の１回目の着地の右足位置ＲＦＬである右足位置ＲＦＬ１から５回目の着地の右足位置ＲＦＬである右足位置ＲＦＬ５までを認識する。以降の説明において、右足位置ＲＦＬ１から右足位置ＲＦＬ５までを区別しない場合には、総称して右足位置ＲＦＬと記載する。認識部３４１は、左足の１回目の着地の左足位置ＬＦＬである左足位置ＬＦＬ１から５回目の着地の左足位置ＬＦＬである左足位置ＬＦＬ５までを認識する。以降の説明において、左足位置ＬＦＬ１から左足位置ＬＦＬ５までを区別しない場合には、総称して左足位置ＬＦＬと記載する。
【００７３】
認識部３４１は、対象者ＥＰの歩行に伴い、右足が空中を移動する軌跡の座標を示す右足軌跡ＲＦＴを検出対象情報ＣＧとして表示制御部３４２に供給する。また、認識部３４１は、対象者ＥＰの歩行に伴い、左足が空中を移動する軌跡の座標を示す左足軌跡ＬＦＴを検出対象情報ＣＧとして表示制御部３４２に供給する。
図１３に示す通り、この一例では、右足及び左足がそれぞれ４回空中を移動する。認識部３４１は、右足の１回目の右足軌跡ＲＦＴである右足軌跡ＲＦＴ１から４回目の右足軌跡ＲＦＴである右足軌跡ＲＦＴ４までを認識する。以降の説明において、右足軌跡ＲＦＴ１から右足軌跡ＲＦＴ４までを区別しない場合には、総称して右足軌跡ＲＦＴと記載する。認識部３４１は、左足の１回目の左足軌跡ＬＦＴである左足軌跡ＬＦＴ１から４回目の左足軌跡ＬＦＴである左足軌跡ＬＦＴ１までを認識する。以降の説明において、左足軌跡ＬＦＴ１から左足軌跡ＬＦＴ４までを区別しない場合には、総称して左足軌跡ＬＦＴと記載する。
【００７４】
［表示制御部の具体例：リハビリテーション内容が歩行の場合］
以下、図１４を参照して、表示制御部３４２が制御する結果画像ＲＰのより具体的な例について説明する。
図１４は、結果画像ＲＰ１の一例を示す第１の図である。
上述したように、表示制御部３４２は、表示制御部３４２は、検出対象情報ＣＧに基づいて、対象者ＥＰのリハビリ対象部位ＴＰに行われたリハビリテーションの結果を示す結果画像ＲＰを生成する。以降の説明において、リハビリ対象部位ＴＰが足である場合の結果画像ＲＰを結果画像ＲＰ１と記載する。
図１４に示す通り、結果画像ＲＰ１には、リハビリ対象部位ＴＰである足の位置に関する情報として、軌跡情報ＴＣ、着地タイミング情報ＧＴ、着地リズム情報ＧＲ、平均歩幅情報ＡＬＳ、平均歩隔情報ＡＦＤ、所要時間情報ＴＲ及び立脚時間比較情報ＳＴＤが含まれる。
【００７５】
［軌跡情報について］
軌跡情報ＴＣとは、対象者ＥＰが歩行することに伴う足の軌跡を示す情報である。
表示制御部３４２は、検出対象情報ＣＧに含まれる右足位置ＲＦＬ、左足位置ＬＦＬ、右足軌跡ＲＦＴ及び左足軌跡ＬＦＴに基づいて、足の移動に伴う足の軌跡の表示を制御する。
例えば、表示制御部３４２は、検出対象情報ＣＧに含まれる所定時間毎の右足位置ＲＦＬ及び右足軌跡ＲＦＴが示す座標を結ぶ表示の制御を行う。これにより、表示制御部３４２は、軌跡情報ＴＣとして右足の軌跡を表示する制御を行う。また、表示制御部３４２は、例えば、検出対象情報ＣＧに示される所定時間毎の、左足位置ＬＦＬ及び左足軌跡ＬＦＴが示す座標を結ぶ表示の制御を行う。これにより、表示制御部３４２は、軌跡情報ＴＣとして左足の軌跡を表示する制御を行う。
【００７６】
また、図１４に示す通り、軌跡情報ＴＣは、対象者ＥＰの歩行の方向を示す歩行方向軸ａｘｄに沿って示される。
表示制御部３４２は、右足位置ＲＦＬ、左足位置ＬＦＬ、右足軌跡ＲＦＴ及び左足軌跡ＬＦＴに基づいて、歩行方向軸ａｘｄを算出する。表示制御部３４２は、歩行方向軸ａｘｄに沿って軌跡情報ＴＣを表示する制御を行う。
また、表示制御部３４２は、歩行方向軸ａｘｄと、結果画像ＲＰの軸とを合わせて軌跡情報ＴＣを表示するように制御する。表示制御部３４２は、例えば、歩行方向軸ａｘｄと、結果画像ＲＰのｙ軸との方向が一致するように軌跡情報ＴＣを表示する制御を行う。
【００７７】
なお、上述では、表示制御部３４２は、歩行方向軸ａｘｄと、結果画像ＲＰのｙ軸との方向が一致するように表示する制御を行う場合について説明したが、これに限られない。表示制御部３４２は、ある直線方向を示す軸と、歩行方向軸ａｘｄとの方向が一致するように表示する制御を行ってもよい。ある直線方向を示す軸とは、例えば、結果画像ＲＰのｘ軸の方向であってもよく、結果画像ＲＰのｘ軸と、ｙ軸とを合成した方向を示す軸であってもよい。結果画像ＲＰのｙ軸とは、表示に関する第１の軸の一例である。
【００７８】
また、上述では、軌跡情報ＴＣが結果画像ＲＰとして表示される場合について説明したが、これに限られない。表示制御部３４２は、軌跡情報ＴＣを示す結果画像ＲＰを単位時間毎につなぎ合わせた動画として表示してもよい。
【００７９】
［着地タイミング情報について］
着地タイミング情報ＧＴとは、対象者ＥＰが歩行することに伴う足の着地タイミング示す情報である。
表示制御部３４２は、検出対象情報ＣＧに含まれる右足位置ＲＦＬ及び左足位置ＬＦＬに基づいて、足の着地に伴う着地タイミングの表示を制御する。
例えば、表示制御部３４２は、検出対象情報ＣＧに含まれる右足位置ＲＦＬが検出された時刻と、位置とに基づいて、時間経過に伴う右足の位置の移動を表示する制御を行う。また、表示制御部３４２は、検出対象情報ＣＧに含まれる左足位置ＬＦＬが検出された時刻と、位置とに基づいて、時間経過に伴う左足の位置の移動を表示する制御を行う。
【００８０】
また、図１４に示す通り、着地タイミング情報ＧＴは、対象者ＥＰの歩行の方向を示す歩行方向軸ａｘｄに沿って示される。
表示制御部３４２は、右足位置ＲＦＬ及び左足位置ＬＦＬに基づいて、歩行方向軸ａｘｄを算出する。表示制御部３４２は、歩行方向軸ａｘｄに沿って着地タイミング情報ＧＴを表示する制御を行う。
また、表示制御部３４２は、歩行方向軸ａｘｄと、結果画像ＲＰの軸とを合わせて着地タイミング情報ＧＴを表示するように制御する。表示制御部３４２は、例えば、歩行方向軸ａｘｄと、結果画像ＲＰのｙ軸との方向が一致するように着地タイミング情報ＧＴを表示する制御を行う。
【００８１】
また、上述では、着地タイミング情報ＧＴが結果画像ＲＰとして表示される場合について説明したが、これに限られない。表示制御部３４２は、着地タイミング情報ＧＴを示す結果画像ＲＰを単位時間毎につなぎ合わせた動画として表示してもよい。
【００８２】
［着地リズム情報について］
着地リズム情報ＧＲとは、対象者ＥＰが歩行する際、足がフロアＦＬに着地する着地リズムを示す情報である。
表示制御部３４２は、検出対象情報ＣＧに含まれる右足位置ＲＦＬ及び左足位置ＬＦＬに基づいて、足の着地に伴う着地リズムの表示を制御する。
例えば、表示制御部３４２は、検出対象情報ＣＧに含まれる右足位置ＲＦＬ及び左足位置ＬＦＬが検出された時刻を、時間経過を示す時間軸ａｘｔに並べて表示する制御を行う。
【００８３】
また、図１４に示す通り、表示制御部３４２は、時間軸ａｘｔと、結果画像ＲＰの軸とを合わせて着地リズム情報ＧＲを表示するように制御する。表示制御部３４２は、例えば、時間軸ａｘｔと、結果画像ＲＰのｘ軸との方向が一致するように着地リズム情報ＧＲを表示する制御を行う。
【００８４】
なお、上述では、表示制御部３４２が、時間軸ａｘｔと、結果画像ＲＰのｘ軸との方向が一致するように表示する制御を行う場合について説明したが、これに限られない。表示制御部３４２は、ある直線方向を示す軸と、時間軸ａｘｔとの方向が一致するように表示する制御を行ってもよい。ある直線方向を示す軸とは、例えば、結果画像ＲＰのｙ軸の方向であってもよく、結果画像ＲＰのｘ軸と、ｙ軸とを合成した方向を示す軸であってもよい。結果画像ＲＰのｘ軸とは、表示に関する第２の軸の一例である。
【００８５】
また、上述では、着地リズム情報ＧＲが結果画像ＲＰとして表示される場合について説明したが、これに限られない。表示制御部３４２は、着地リズム情報ＧＲを示す結果画像ＲＰを単位時間毎につなぎ合わせた動画として表示してもよい。
【００８６】
［平均歩幅情報について］
平均歩幅情報ＡＬＳとは、対象者ＥＰが歩行する際の足の歩幅の平均を示す情報である。具体的には、平均歩幅情報ＡＬＳには、対象者ＥＰの右足の歩幅の平均を示す情報と、左足の歩幅の平均を示す情報とが含まれる。
例えば、表示制御部３４２は、検出対象情報ＣＧに含まれる右足位置ＲＦＬに基づいて、右足の着地位置間の距離である右足の歩幅を算出する。また、表示制御部３４２は、右足位置ＲＦＬを複数取得した場合、右足位置ＲＦＬに基づいて算出される右足の歩幅の平均を算出する。また、表示制御部３４２は、検出対象情報ＣＧに含まれる左足位置ＬＦＬに基づいて、左足の着地位置間の距離である左足の歩幅を算出する。また、表示制御部３４２は、左足位置ＬＦＬを複数取得した場合、左足位置ＬＦＬに基づいて算出される左足の歩幅の平均を算出する。表示制御部３４２は、算出した右足の歩幅の平均と、左足の歩幅の平均とを平均歩幅情報ＡＬＳとして表示する制御を行う。
【００８７】
なお、上述では、表示制御部３４２が対象者ＥＰの歩幅に関する情報を平均歩幅情報ＡＬＳとして表示を制御する一例について説明したが、これに限られない。表示制御部３４２は、右足位置ＲＦＬ及び左足位置ＬＦＬに基づいて、対象者ＥＰの歩幅の最大値を表示する制御を行ってもよい。また、表示制御部３４２は、右足位置ＲＦＬ及び左足位置ＬＦＬに基づいて、対象者ＥＰの歩幅の最小値を表示する制御を行ってもよい。
また、上述では、対象者ＥＰの平均歩幅情報ＡＬＳには、右足の歩幅の平均と、左足の歩幅の平均とが含まれる一例について説明したが、これに限られない。表示制御部３４２は、対象者ＥＰの右足と、左足との歩幅の平均を平均歩幅情報ＡＬＳとして表示する制御を行ってもよい。
【００８８】
［平均歩隔情報について］
平均歩隔情報ＡＦＤとは、対象者ＥＰが歩行する際の右足と左足との歩行時のスタンスを示す情報である。
例えば、表示制御部３４２は、検出対象情報ＣＧに含まれる右足位置ＲＦＬが示す座標を結び、右足が進行する方向を示す右足軸を算出する。また、表示制御部３４２は、検出対象情報ＣＧに含まれる左足位置ＬＦＬが示す座標を結び、左足が進行する方向を示す左足軸を算出する。表示制御部３４２は、右足軸及び左足軸と、直交又は略直交する方向における右足軸から左足軸までの距離である歩隔の平均を算出する。
表示制御部３４２は、算出した歩隔の平均を平均歩隔情報ＡＦＤとして表示する制御を行う。
【００８９】
なお、上述では、表示制御部３４２が対象者ＥＰの歩隔に関する情報を平均歩隔情報ＡＦＤとして表示を制御する一例について説明したが、これに限られない。表示制御部３４２は、右足位置ＲＦＬ及び左足位置ＬＦＬに基づいて、対象者ＥＰの歩隔の最大値を表示する制御を行ってもよい。また、表示制御部３４２は、右足位置ＲＦＬ及び左足位置ＬＦＬに基づいて、対象者ＥＰの歩隔の最小値を表示する制御を行ってもよい。
【００９０】
［所要時間情報について］
所要時間情報ＴＲとは、対象者ＥＰが目標画像に応じて動作されるリハビリ対象部位ＴＰの動作開始から動作終了までの時間を示す情報である。
例えば、表示制御部３４２は、検出対象情報ＣＧのうち、最も過去の右足位置ＲＦＬ又は左足位置ＬＦＬが検出された時刻と、検出対象情報ＣＧのうち、最新の右足位置ＲＦＬ又は左足位置ＬＦＬが検出された時刻との時間差を所要時間情報ＴＲとして表示する制御を行う。
【００９１】
［認識情報の具体例：リハビリテーション内容が手の移動の場合］
以下、図１５及び図１６を参照して、リハビリテーション内容が手の移動である場合の検出対象情報ＣＧ及び結果画像ＲＰのより具体的な例について説明する。
図１５は、リハビリテーション内容が手の移動である場合の認識部３４１の認識の一例を示す平面図である。
図１５に示す通り、この一例では、検出範囲８００及び出力領域９００とは、対象者ＥＰが手を動作する面を有するテーブルＴである。対象者ＥＰは、出力装置２００が出力領域９００に出力する目標画像に基づいて、手の移動に関するリハビリテーションを行う。
この一例では、対象者ＥＰが目標画像に基づいて、目標画像に示される複数の移動目標位置上に手をかざす動作をするリハビリテーションを行う。
上述したように、認識部３４１は、人体の各部位の位置情報を、その部位に対応付けて認識することができる。また、この一例では、認識部３４１は、対象者ＥＰの体の一部（検出対象部位）の検出データであるかを認識し、検出対象情報ＣＧを表示制御部３４２に供給する。
上述したように、この一例では、リハビリ対象部位ＴＰが、手である。具体的には、リハビリ対象部位ＴＰが、右手及び左手である。したがって、認識部３４１は、対象者ＥＰの位置のうち、対象者ＥＰの右手及び左手の位置を認識する。
認識部３４１は、対象者ＥＰの手の移動に伴い、右手が停止するテーブルＴ上の位置の座標を示す右手位置ＲＨＬを検出対象情報ＣＧとして表示制御部３４２に供給する。また、認識部３４１は、対象者ＥＰの手の移動に伴い、左手が停止するテーブルＴ上の位置の座標を示す左手位置ＬＨＬを検出対象情報ＣＧとして表示制御部３４２に供給する。
図１５に示す通り、この一例では、右手及び左手がそれぞれ９回ずつテーブルＴ上に停止する。認識部３４１は、右手の１回目に停止する右手位置ＲＨＬである右手位置ＲＨＬ１から９回目に停止する右手位置ＲＨＬである右手位置ＲＨＬ９までを認識する。以降の説明において、右手位置ＲＨＬ１から右手位置ＲＨＬ９までを区別しない場合には、総称して右手位置ＲＨＬと記載する。認識部３４１は、左手の１回目に停止する左手位置ＬＨＬである左手位置ＬＨＬ１から９回目に停止する左手位置ＬＨＬである左手位置ＬＨＬ９までを認識する。以降の説明において、左手位置ＬＨＬ１から左手位置ＬＨＬ９までを区別しない場合には、総称して左手位置ＬＨＬと記載する。
【００９２】
認識部３４１は、対象者ＥＰの手の移動に伴い、右手が空中を移動する軌跡の座標を示す右手軌跡ＲＨＴを検出対象情報ＣＧとして表示制御部３４２に供給する。また、認識部３４１は、対象者ＥＰの手の移動に伴い、左手が空中を移動する軌跡の座標を示す左手軌跡ＬＨＴを検出対象情報ＣＧとして表示制御部３４２に供給する。
【００９３】
なお、上述では、手の移動のリハビリテーションが目標画像に示される移動目標位置上に手をかざす動作をする場合について説明したが、これに限られない。手の移動のリハビリテーションは、目標画像に示される移動目標位置に触れる動作をするものであってもよい。この場合、認識部３４１は、目標画像に示される移動目標位置に触れた座標を右手位置ＲＨＬ及び左手位置ＬＨＬとして認識してもよい。
【００９４】
［表示制御部の具体例：リハビリテーション内容が手の移動の場合］
以下、図１６を参照して、表示制御部３４２が制御する結果画像ＲＰのより具体的な例について説明する。
図１６は、結果画像ＲＰ２の一例を示す第２の図である。
上述したように、表示制御部３４２は、検出対象情報ＣＧに基づいて、対象者ＥＰのリハビリ対象部位ＴＰに行われたリハビリテーションの結果を示す結果画像ＲＰを生成する。以降の説明において、リハビリ対象部位ＴＰが手である場合の結果画像ＲＰを結果画像ＲＰ２と記載する。
図１６に示す通り、結果画像ＲＰ２には、リハビリ対象部位ＴＰである手の位置に関する情報として、右手到達範囲情報ＲＨＡ、左手到達範囲情報ＬＨＡ、動作速度情報ＨＶ、平均動作速度情報ＡＨＶ、リーチ面積情報ＲＳ、リーチ情報ＲＤ及び左右使用比較情報ＬＲＤが含まれる。
【００９５】
［右手到達範囲情報について］
右手到達範囲情報ＲＨＡとは、対象者ＥＰが右手を動作することによって、右手が到達する範囲を示す情報である。
表示制御部３４２は、右手位置ＲＨＬ及び右手軌跡ＲＨＴに基づいて、右手が到達する範囲の表示を制御する。
例えば、表示制御部３４２は、ＸＹ平面上において対象者ＥＰの位置から遠い座標を示す右手位置ＲＨＬ及び右手軌跡ＲＨＴをスプライン曲線によって結ぶ範囲を示す表示の制御を行う。これにより、表示制御部３４２は、右手到達範囲情報ＲＨＡとして、右手が到達する範囲を表示する制御を行う。
【００９６】
［左手到達範囲情報について］
左手到達範囲情報ＬＨＡとは、対象者ＥＰが左手を動作することによって、左手が到達する範囲示す情報である。
表示制御部３４２は、左手位置ＬＨＬ及び左手軌跡ＬＨＴに基づいて、左手が到達する範囲の表示を制御する。
例えば、表示制御部３４２は、ＸＹ平面上において対象者ＥＰの位置からＹ軸の成分を含む方向に離れた座標を示す左手位置ＬＨＬ及び左手軌跡ＬＨＴをスプライン曲線によって結ぶ範囲を示す表示の制御を行う。これにより、表示制御部３４２は、左手到達範囲情報ＬＨＡとして、左手が到達する範囲を表示する制御を行う。
【００９７】
［動作速度情報について］
動作速度情報ＨＶとは、対象者ＥＰが手を動作する際の速度が最速である速度を示す情報である。具体的には、動作速度情報ＨＶには、対象者ＥＰの右手の移動の最速速度を示す動作速度情報ＨＶＲと、左手の移動の最速速度を示す動作速度情報ＨＶＬとが含まれる。
表示制御部３４２は、右手位置ＲＨＬ及び右手軌跡ＲＨＴに基づいて、右手が動作する際の最速速度の表示を制御する。
例えば、表示制御部３４２は、ある右手位置ＲＨＬが検出された時刻から、ある右手位置ＲＨＬの次に検出される右手位置ＲＨＬが検出された時刻までの時間を算出する。また、表示制御部３４２は、算出した時間と、右手軌跡ＲＨＴが示すある右手位置ＲＨＬからある右手位置ＲＨＬの次に検出される右手位置ＲＨＬまでの右手の移動距離とに基づいて、右手の移動速度を算出する。表示制御部３４２は、算出した右手の移動速度のうち、最速である移動速度を動作速度情報ＨＶＲとして表示する制御を行う。
【００９８】
表示制御部３４２は、左手位置ＬＨＬ及び左手軌跡ＬＨＴに基づいて、左手が動作する際の最速速度の表示を制御する。
例えば、表示制御部３４２は、ある左手位置ＬＨＬが検出された時刻から、ある左手位置ＬＨＬの次に検出される左手位置ＬＨＬが検出された時刻までの時間を算出する。また、表示制御部３４２は、算出した時間と、左手軌跡ＬＨＴが示すある左手位置ＬＨＬからある左手位置ＬＨＬの次に検出される左手位置ＬＨＬまでの左手の移動距離とに基づいて、左手の移動速度を算出する。表示制御部３４２は、算出した左手の移動速度のうち、最速である移動速度を動作速度情報ＨＶＬとして表示する制御を行う。
【００９９】
［平均動作速度情報について］
動作速度情報ＨＶとは、対象者ＥＰが手を動作する際の速度の平均を示す情報である。具体的には、動作速度情報ＨＶには、対象者ＥＰの右手の移動の平均速度を示す平均動作速度情報ＡＨＶＲと、左手の移動の最速速度を示す平均動作速度情報ＡＨＶＬとが含まれる。
表示制御部３４２は、右手位置ＲＨＬ及び右手軌跡ＲＨＴに基づいて、右手が動作する際の平均速度の表示を制御する。
例えば、表示制御部３４２は、ある右手位置ＲＨＬが検出された時刻から、ある右手位置ＲＨＬの次に検出される右手位置ＲＨＬが検出された時刻までの時間を算出する。また、表示制御部３４２は、算出した時間と、右手軌跡ＲＨＴが示すある右手位置ＲＨＬからある右手位置ＲＨＬの次に検出される右手位置ＲＨＬまでの右手の移動距離とに基づいて、右手の移動速度を算出する。また、表示制御部３４２は、算出した右手の移動速度の平均速度を算出する。表示制御部３４２は、算出した右手の平均速度を平均動作速度情報ＡＨＶＲとして表示する制御を行う。
【０１００】
表示制御部３４２は、左手位置ＬＨＬ及び左手軌跡ＬＨＴに基づいて、左手が動作する際の平均速度の表示を制御する。
例えば、表示制御部３４２は、ある左手位置ＬＨＬが検出された時刻から、ある左手位置ＬＨＬの次に検出される左手位置ＬＨＬが検出された時刻までの時間を算出する。また、表示制御部３４２は、算出した時間と、左手軌跡ＬＨＴが示すある左手位置ＬＨＬからある左手位置ＬＨＬの次に検出される左手位置ＬＨＬまでの左手の移動距離とに基づいて、左手の移動速度を算出する。また、表示制御部３４２は、算出した左手の移動速度の平均速度を算出する。表示制御部３４２は、算出した左手の平均速度を平均動作速度情報ＡＨＶＬとして表示する制御を行う。
【０１０１】
［リーチ面積情報について］
リーチ面積情報ＲＳとは、対象者ＥＰが手を動作することによって、手が到達する範囲の面積を示す情報である。具体的には、リーチ面積情報ＲＳには、対象者ＥＰの右手の到達する範囲の面積を示すリーチ面積情報ＲＳＲと、対象者ＥＰの左手の到達する範囲の面積を示すリーチ面積情報ＲＳＬとが含まれる。
表示制御部３４２は、右手位置ＲＨＬ及び右手軌跡ＲＨＴに基づいて、右手が到達する範囲の面積の表示を制御する。また、表示制御部３４２は、左手位置ＬＨＬ及び左手軌跡ＬＨＴに基づいて、左手が到達する範囲の面積の表示を制御する。
例えば、表示制御部３４２は、上述した右手到達範囲情報ＲＨＡによって示される範囲の面積を既知の方法によって算出し、リーチ面積情報ＲＳＲとして表示す制御を行う。また、表示制御部３４２は、上述した左手到達範囲情報ＬＨＡによって示される範囲の面積を既知の方法によって算出し、リーチ面積情報ＲＳＬとして表示する制御を行う。
【０１０２】
［リーチ情報について］
リーチ情報ＲＤとは、対象者ＥＰが手を動作することによって、手が到達する位置であって、対象者ＥＰから最も遠い位置までの距離を示す情報である。具体的には、リーチ情報ＲＤには、対象者ＥＰの右手が到達する位置であって、対象者ＥＰから最も遠い位置までの距離を示すリーチ情報ＲＤＲが含まれる。また、リーチ情報ＲＤには、対象者ＥＰの左手が到達する位置であって、対象者ＥＰから最も遠い位置までの距離を示すリーチ情報ＲＤＬが含まれる。
【０１０３】
表示制御部３４２は、右手位置ＲＨＬ及び右手軌跡ＲＨＴに基づいて、右手が到達する位置であって、対象者ＥＰの位置から最も遠い位置までの距離の表示を制御する。また、表示制御部３４２は、左手位置ＬＨＬ及び左手軌跡ＬＨＴに基づいて、左手が到達する位置であって、対象者ＥＰの位置から最も遠い位置までの距離の表示を制御する。
【０１０４】
例えば、表示制御部３４２は、上述した右手到達範囲情報ＲＨＡによって示される範囲の外径のうち、対象者ＥＰから最も遠い位置までの距離を算出し、リーチ情報ＲＤＲとして表示する制御を行う。
また、表示制御部３４２は、上述した左手到達範囲情報ＬＨＡによって示される範囲の外径のうち、対象者ＥＰから最も遠い位置までの距離を算出し、リーチ情報ＲＤＬとして表示する制御を行う。
【０１０５】
［手軌跡情報について］
手軌跡情報ＨＴＣとは、対象者ＥＰが手を動作することに伴う手の軌跡を示す情報である。
表示制御部３４２は、検出対象情報ＣＧに含まれる右手位置ＲＨＬ、左手位置ＬＨＬ、右手軌跡ＲＨＴ及び左手軌跡ＬＨＴに基づいて、対象者ＥＰの手の移動に伴う軌跡の表示を制御する。
例えば、表示制御部３４２は、検出対象情報ＣＧに含まれる所定時間毎の右手位置ＲＨＬ及び右手軌跡ＲＨＴが示す座標を結ぶ表示の制御を行う。これにより、表示制御部３４２は、手軌跡情報ＨＴＣとして右手の軌跡を表示する制御を行う。また、表示制御部３４２は、例えば、検出対象情報ＣＧに示される所定時間毎の左手位置ＬＨＬ及び左手軌跡ＬＨＴが示す座標を結ぶ表示の制御を行う。これにより、表示制御部３４２は、手軌跡情報ＨＴＣとして左手の軌跡を表示する制御を行う。
【０１０６】
なお、上述では、手軌跡情報ＨＴＣが結果画像ＲＰとして表示される場合について説明したが、これに限られない。表示制御部３４２は、手軌跡情報ＨＴＣを示す結果画像ＲＰを単位時間毎につなぎ合わせた動画として表示してもよい。
【０１０７】
［左右使用比較情報について］
左右使用比較情報ＬＲＤとは、右手位置ＲＨＬ、右手軌跡ＲＨＴ、左手位置ＬＨＬ及び左手軌跡ＬＨＴに基づいて、対象者ＥＰの右手と左手との使用の割合を示す情報である。
表示制御部３４２は、右手位置ＲＨＬ、右手軌跡ＲＨＴ、左手位置ＬＨＬ及び左手軌跡ＬＨＴに基づいて、対象者ＥＰの右手と左手との使用の割合を示す情報の表示を制御する。
例えば、表示制御部３４２は、右手位置ＲＨＬ及び右手軌跡ＲＨＴに基づいて、リハビリテーションの開始から終了までの間に右手が移動した距離を算出する。また、表示制御部３４２は、左手位置ＬＨＬ及び左手軌跡ＬＨＴに基づいて、リハビリテーションの開始から終了までの間に左手が移動した距離を算出する。表示制御部３４２は、算出した右手及び左手が移動した総距離に対する右手が移動した距離及び左手が移動した距離の割合を算出し、左右使用比較情報ＬＲＤとして表示する制御を行う。
【０１０８】
［実施形態のまとめ］
以上説明したように、本実施形態のリハビリテーション支援制御装置（本実施形態の一例では、リハビリテーション支援制御装置３００）は、リハビリテーションの対象者（本実施形態の一例では、対象者ＥＰ）の体を検出するセンサ（本実施形態の一例では、センサ１００）の検出結果を示す検出結果情報に基づいて、対象者の体の一部（本実施形態の一例ではリハビリ対象部位ＴＰ）の位置を認識する認識部（本実施形態の一例では、認識部３４１）と、認識部が認識する位置（本実施形態の一例では、検出対象情報ＣＧ）に基づいて、位置に関する情報の表示を制御する表示制御部（本実施形態の一例では、表示制御部３４２）と、を備える。
【０１０９】
ここで、リハビリテーションの対象者は、当該対象者の体の一部がリハビリテーションに応じて動作した結果を客観的に確認することが困難である場合があった。
本実施形態のリハビリテーション支援制御装置は、対象者に行われるリハビリテーションに応じて当該対象者の体の一部が動作した動作の結果の表示を制御する。出力装置は、リハビリテーション支援制御装置が制御する表示を出力する。
本実施形態のリハビリテーション支援制御装置によれば、リハビリテーションの対象者は、当該対象者の体の一部が動作した結果を客観的に確認することができる。リハビリテーションの対象者は、当該対象者の体の一部が動作した結果を客観的に確認することによって、当該結果を以降のリハビリテーションの参考にすることができる。
したがって、本実施形態のリハビリテーション支援制御装置によれば、リハビリテーションの対象者のリハビリテーションを支援することができる。
【０１１０】
また、本実施形態のリハビリテーション支援制御装置は、認識部は、リハビリテーションの対象者の体の一部である対象者の足の位置（本実施形態の一例では、右足位置ＲＦＬ、右足軌跡ＲＦＴ、左足位置ＬＦＬ及び左足軌跡ＬＦＴ）を認識し、表示制御部は、記認識部が認識する足の位置に基づいて、足の移動に伴う足の軌跡（本実施形態の一例では、軌跡情報ＴＣ）の表示を制御する。
【０１１１】
リハビリテーションの対象者は、足に関するリハビリテーションを受ける場合、当該対象者の足がリハビリテーションに応じて動作した結果を客観的に確認することが困難である場合があった。
本実施形態のリハビリテーション支援制御装置は、対象者に行われるリハビリテーションに応じて当該対象者の歩行に伴う足の軌跡の表示を制御する。出力装置は、リハビリテーション支援制御装置が制御する表示を出力する。
本実施形態のリハビリテーション支援制御装置によれば、リハビリテーションの対象者は、当該対象者の歩行に応じて当該対象者の足が移動した軌跡を客観的に確認することができる。リハビリテーションの対象者は、当該対象者の足の軌跡を確認することによって、当該対象者が歩行する際の足の移動を客観的に確認することができる。
【０１１２】
また、本実施形態のリハビリテーション支援制御装置は、表示制御部は、対象者の進行方向を示す軸（本実施形態の一例では、歩行方向軸ａｘｄ）と、位置に関する情報の表示に関する第１の軸（本実施形態の一例では、ｙ軸）とを合わせて軌跡の表示を制御する。
【０１１３】
本実施形態のリハビリテーション支援制御装置は、対象者の進行方向を示す軸と、表示に関する第１軸とを合わせて足の軌跡を表示する制御を行う。具体的には、リハビリテーション支援制御装置は、出力装置によって投影範囲に出力される軌跡の方向と、リハビリテーションの対象者が検出範囲を歩行した方向とが一致するように軌跡を表示する制御を行う。
これにより、リハビリテーションの対象者は、当該対象者の歩行に対する当該対象者の足の軌跡の認識を容易に行うことができる。
【０１１４】
また、本実施形態のリハビリテーション支援制御装置の認識部は、リハビリテーションの対象者の体の一部である足の位置であって、右足と、左足との着地位置（本実施形態の一例では、右足位置ＲＦＬ及び左足位置ＬＦＬ）を認識し、表示制御部は、認識部が認識する着地位置に基づいて、足の着地タイミングと、時間経過との関係を、位置に関する情報（本実施形態の一例では、着地リズム情報ＧＲ）の表示に関する第２の軸（本実施形態の一例では、ｘ軸）に示す表示を制御する。
【０１１５】
本実施形態のリハビリテーション支援制御装置は、対象者の右足及び左足の着地タイミングと、時間経過との関係を表示に関する第２軸に示す。具体的には、リハビリテーション支援制御装置は、時間経過をｘ軸に示し、当該ｘ軸に対象者の右足及び左足の着地が検出された時刻に応じて並べて表示する制御を行う。
これにより、リハビリテーションの対象者は、歩行の際に、右足又は左足のみで立脚している時間がどの程度の時間間隔であるかについて認識を容易に行うことができる。
【０１１６】
また、本実施形態のリハビリテーション支援制御装置は、認識部は、リハビリテーションの対象者の体の一部である手の位置（本実施形態の一例では、右手位置ＲＨＬ、右手軌跡ＲＨＴ、左手位置ＬＨＬ及び左手軌跡ＬＨＴ）を認識し、表示制御部は、認識部が認識する手の位置に基づいて、手の到達する範囲（本実施形態の一例では、右手到達範囲情報ＲＨＡ及び左手到達範囲情報ＬＨＡ）を示す表示を制御する。
【０１１７】
リハビリテーションの対象者は、手に関するリハビリテーションを受ける場合、当該対象者の手がリハビリテーションに応じて動作した結果を客観的に確認することが困難である場合があった。
本実施形態のリハビリテーション支援制御装置は、対象者に行われるリハビリテーションに応じて当該対象者の手が到達する範囲の表示を制御する。出力装置は、リハビリテーション支援制御装置が制御する表示を出力する。
本実施形態のリハビリテーション支援制御装置によれば、リハビリテーションの対象者は、当該対象者の手の移動に応じて当該対象者の手が到達する範囲を客観的に確認することができる。リハビリテーションの対象者は、当該対象者の手の到達する範囲を確認することによって、当該対象者が手を動作する際の手の可動範囲を客観的に確認することができる。
【０１１８】
また、本実施形態のリハビリテーション支援制御装置は、リハビリテーションの対象者の体を検出するセンサの検出結果を示す検出結果情報に基づいて、対象者の体の一部の位置を認識する認識部と、認識部が認識する位置に基づいて、対象者がセンサに検出される検出位置（本実施形態の一例では、検出範囲８００）から対象者が視認する範囲（本実施形態の一例では、出力領域９００）に位置に関する情報の表示を制御する表示制御部とを備える。
【０１１９】
本実施形態のリハビリテーション支援制御装置は、リハビリテーションに応じて対象者の体の一部が動作した際の動作結果を出力装置の投影範囲に出力する表示の制御を行う。
ここで、対象者及び対象者の親族等複数の人が動作結果を確認する場合がある。この場合、本実施形態のリハビリテーション支援制御装置によれば、対象者及び対象者の親族等は、出力装置がディスプレイ等である場合と比較して、動作結果を容易に確認することができる。
【０１２０】
また、本実施形態のリハビリテーション支援制御装置は、表示制御部は、位置に関する情報を対象者の体の一部と同一の尺度において示す表示を制御する。
本実施形態のリハビリテーション支援制御装置は、リハビリテーションに応じて対象者の体の一部が動作した際の動作結果を出力装置の投影範囲に同一の尺度で表示する制御を行う。具体的には、本実施形態のリハビリテーション支援制御装置は、リハビリテーションに応じて対象者の体の一部が動作した際の動作結果を出力装置の投影範囲に実寸大で表示する制御を行う。
したがって、本実施形態のリハビリテーション支援制御装置によれば、出力装置がディスプレイ等である場合と比較して、動作結果をより詳細に表示することができる。
本実施形態のリハビリテーション支援制御装置によれば、対象者は、出力装置がディスプレイ等である場合と比較して、動作結果をより詳細に認識することができる。
【０１２１】
［変形例１］
上記実施形態では、リハビリテーション支援制御装置３００が、センサ１００が検出した検出結果情報に基づいて、対象者ＥＰのリハビリ対象部位ＴＰの位置に関する情報の表示を制御する場合について説明したが、これに限られない。
変形例１では、リハビリテーション支援制御装置３００が、センサ１００が検出した検出結果情報と、他の検出結果情報とを比較した比較結果に関する情報の表示を制御する点において、上記実施形態と異なる。
以下、図１７及び図１８を参照して変形例１について説明する。
なお、上記実施形態と同一の構成を有する場合には、同一の符号を付して重複説明を省略する。
【０１２２】
［リハビリテーション支援制御装置の構成について］
図１７は、変形例１のリハビリテーション支援制御装置３２０の機能構成例を示す概略ブロック図である。
リハビリテーション支援制御装置３２０は、情報処理装置を用いて構成される。リハビリテーション支援制御装置３２０は、バスで接続されたＣＰＵ、メモリ及び補助記憶装置を備える。リハビリテーション支援制御装置３２０は、リハビリテーション支援プログラムを実行することによって動作する。
リハビリテーション支援制御装置３２０は、入力部３１、出力部３２、記憶部３３及び制御部３７を備える。
【０１２３】
上述したように、検出履歴情報記憶部３３３は、センサ１００が過去に検出した検出結果情報を記憶する。具体的には、検出履歴情報記憶部３３３は、認識部３４１が認識した対象者ＥＰのリハビリ対象部位ＴＰの位置情報（検出結果情報）の履歴を記憶する。例えば、歩行のリハビリテーションを行う場合、検出履歴情報記憶部３３３は、対象者ＥＰの足の位置の検出結果情報の履歴を記憶する。また、手の移動のリハビリテーションを行う場合、検出履歴情報記憶部３３３は、対象者ＥＰの手の位置の検出結果情報の履歴を記憶する。
制御部３７は、ＣＰＵを用いて構成される。制御部３４は、リハビリテーション支援プログラムを実行することによって、認識部３４１、表示制御部３４２及び比較部３５１として機能する。
【０１２４】
認識部３４１は、入力部３１から取得した検出結果情報に基づいて、対象者ＥＰのリハビリ対象部位ＴＰの位置を認識する。また、認識部３４１は、検出履歴情報記憶部３３３からセンサ１００が過去に検出した検出結果情報を読み出し、対象者ＥＰのリハビリ対象部位ＴＰの位置を認識する。
認識部３４１は、認識した対象者ＥＰのリハビリ対象部位ＴＰの位置を示す検出対象情報ＣＧを表示制御部３４２に供給する。以降の説明において、認識部３４１が入力部３１から取得した検出結果情報に基づいて認識した対象者ＥＰのリハビリ対象部位ＴＰを検出対象情報ＣＧ１と記載する。また、認識部３４１が検出履歴情報記憶部３３３から読み出した検出結果情報に基づいて認識した対象者ＥＰのリハビリ対象部位ＴＰを検出対象情報ＣＧ２と記載する。
認識部３４１は、認識した検出対象情報ＣＧ１及び検出対象情報ＣＧ２を比較部３５１と、表示制御部３４２とに供給する。
【０１２５】
比較部３５１は、認識部３４１から検出対象情報ＣＧ１及び検出対象情報ＣＧ２を取得する。
比較部３５１は、取得した検出対象情報ＣＧ１及び検出対象情報ＣＧ２に基づいて、現在のリハビリ対象部位ＴＰの位置に関する情報と、過去のリハビリ対象部位ＴＰの位置に関する情報とを比較する。
比較部３５１は、例えば、検出対象情報ＣＧ１と、検出対象情報ＣＧ２とに基づいて、現在と過去との動作速度情報ＨＶの差の割合を動作比較速度情報ＨＶＤとして算出する。また、比較部３５１は、例えば、検出対象情報ＣＧ１と、検出対象情報ＣＧ２とに基づいて、現在と過去とのリーチ情報ＲＤの差の割合をリーチ比較情報ＲＤＤとして算出する。
比較部３５１は、算出した現在のリハビリ対象部位ＴＰの位置に関する情報と、過去のリハビリ対象部位ＴＰの位置に関する情報との比較結果を示す比較結果情報を表示制御部３４２に供給する。具体的には、比較部３５１は、算出した動作比較速度情報ＨＶＤと、リーチ比較情報ＲＤＤとを比較結果情報として表示制御部３４２に供給する。
【０１２６】
［表示制御部の具体例：過去と現在との比較］
以下、図１８を参照して、表示制御部３４２が制御する結果画像ＲＰ３のより具体的な例について説明する。
図１８は、結果画像ＲＰ３の一例を示す第３の図である。
表示制御部３４２は、認識部３４１から検出対象情報ＣＧ１及び検出対象情報ＣＧ２を取得する。また、表示制御部３４２は、比較部３５１から比較結果情報を取得する。
表示制御部３４２は、比較結果情報に基づいて、対象者ＥＰのリハビリ対象部位ＴＰに行われたリハビリテーションの現在と、過去との結果の比較を示す結果画像ＲＰを生成する。
以降の説明において、表示制御部３４２が検出対象情報ＣＧ１、検出対象情報ＣＧ２及び比較結果情報に基づいて、生成した結果画像ＲＰを結果画像ＲＰ３と記載する。
図１８に示す通り、結果画像ＲＰ３には、リハビリ対象部位ＴＰである手の位置に関する情報として、結果画像ＲＰ２に含まれる情報の他、動作比較速度情報ＨＶＤ及びリーチ比較情報ＲＤＤに関する情報が含まれる。
【０１２７】
［動作比較速度情報について］
動作比較速度情報ＨＶＤとは、対象者ＥＰが手を動作する際の速度が最速である速度の現在と過去との差を割合で示す情報である。
表示制御部３４２は、取得した比較結果情報に基づいて、動作比較速度情報ＨＶＤを表示する制御を行う。
【０１２８】
［リーチ比較情報について］
リーチ比較情報ＲＤＤとは、対象者ＥＰが手を動作することによって、手が到達する位置であって、対象者ＥＰから最も遠い位置までの距離の現在と過去との差を割合で示す情報である。
表示制御部３４２は、取得した比較結果情報に基づいて、リーチ比較情報ＲＤＤを表示する制御を行う。
【０１２９】
［右手到達範囲情報及び左手到達範囲情報の現在と過去との比較について］
なお、上述では、表示制御部３４２が比較結果に基づいて、動作比較速度情報ＨＶＤと、リーチ比較情報ＲＤＤとを表示する場合について説明したが、これに限られない。
表示制御部３４２は、認識部３４１から取得する検出対象情報ＣＧ１及び検出対象情報ＣＧ２に基づいて、現在と過去との比較に関する表示を制御してもよい。
例えば、表示制御部３４２は、検出対象情報ＣＧ１に基づいて、現在の右手到達範囲情報ＲＨＡを示す右手到達範囲情報ＲＨＡ１として、右手が到達する範囲を表示する制御を行う。また、表示制御部３４２は、検出対象情報ＣＧ１に基づいて、現在の左手到達範囲情報ＬＨＡを示す左手到達範囲情報ＬＨＡ１として、左手が到達する表示する制御を行う。
また、認識部３４１は、検出対象情報ＣＧ２に基づいて、過去の右手到達範囲情報ＲＨＡを示す右手到達範囲情報ＲＨＡ２として、右手が到達する範囲を表示する制御を行う。
また、表示制御部３４２は、検出対象情報ＣＧ２に基づいて、過去の左手到達範囲情報ＬＨＡを示す左手到達範囲情報ＬＨＡ１として、左手が到達する範囲を表示する制御を行う。
図１８に示す通り、この一例では、表示制御部３４２は、右手到達範囲情報ＲＨＡ１、右手到達範囲情報ＲＨＡ２、左手到達範囲情報ＬＨＡ１及び左手到達範囲情報ＬＨＡ２を重ねて表示する制御を行う。
【０１３０】
なお、上述では、検出対象情報ＣＧ１が、センサ１００が現在検出した検出結果情報に基づいて認識部３４１が対象者ＥＰのリハビリ対象部位ＴＰを認識した情報である場合について説明したが、これに限られない。検出対象情報ＣＧ１は、検出履歴情報記憶部３３３に含まれる検出結果情報より後に検出された検出結果情報に基づいて認識部３４１が対象者ＥＰのリハビリ対象部位ＴＰを認識したであれば、現在に検出された検出結果情報でなくてもよい。
【０１３１】
以上説明したように、本実施形態のハビリテーション支援装置（変形例１の一例では、リハビリテーション支援制御装置３２０）は、認識部が第１の時期（変形例１の一例では、現在）に認識した対象者の体の一部の位置を示す認識結果である第１認識結果（変形例１の一例では、検出対象情報ＣＧ１）と、第１の時期よりも過去の第２の時期に認識した認識結果である第２認識結果（変形例１の一例では、検出対象情報ＣＧ２）とに基づいて、前記対象者の体の一部の位置を比較する比較部（変形例１の一例では、比較部３５１）を更に備え、表示制御部は、第１認識結果と、第２認識結果とを比較した比較結果に関する情報の表示を制御する。
【０１３２】
ここで、リハビリテーションの対象者は、当該対象者のリハビリテーションの経過を客観的に確認することが困難である場合があった。
本実施形態のリハビリテーション支援制御装置は、リハビリテーションの対象者の体の位置が過去に検出された検出結果情報と、当該検出結果情報が検出されたよりも後に検出された検出結果情報とに基づいて、リハビリテーションの効果を客観的に確認することができる。
【０１３３】
なお、上述では、リハビリテーション支援制御装置３２０は、リハビリテーションの対象者の過去の検出結果情報と、当該対象者の現在の検出結果情報とに基づいて比較した比較結果に関する情報の表示を制御する場合について説明したが、これに限られない。
リハビリテーション支援制御装置３２０は、リハビリテーションの対象者の体の一部の動作の基準を示す基準情報と、当該対象者の現在の検出結果情報とに基づいて比較した比較結果に関する情報の表示を制御してもよい。
【０１３４】
ここで、リハビリテーションの対象者は、当該対象者のリハビリテーションの結果と、リハビリテーションの目標との乖離を客観的に確認することが困難である場合があった。
本実施形態のリハビリテーション支援制御装置は、リハビリテーションの対象者の体の位置が検出された検出結果情報と、当該対象者のリハビリテーションの目標を示す基準情報とに基づいて、リハビリテーションの目標までの乖離を客観的に確認することができる。
【０１３５】
以上説明したように、本実施形態のハビリテーション支援装置（変形例１の一例では、リハビリテーション支援制御装置３２０）は、比較部（変形例１の一例では、比較部３５１）を備える。比較部は、認識部が第１の時期に認識した対象者の体の一部の位置を示す認識結果である第１認識結果（変形例１の一例では検出対象情報ＣＧ１）と、第１の時期よりも過去の第２の時期に認識した認識結果である第２認識結果（変形例１の一例では、検出対象情報ＣＧ２又は基準情報）とに基づいて、対象者の体の一部の位置を比較する。表示制御部３４２は、第１認識結果と、第２認識結果とを比較した比較結果に関する情報の表示を制御する。
【０１３６】
また、上述では、リハビリテーション支援制御装置３２０は、リハビリテーションの対象者の過去の検出結果情報と、当該対象者の現在の検出結果情報とに基づいて比較した比較結果に関する情報の表示を制御する場合について説明したが、これに限られない。
リハビリテーション支援制御装置３２０は、リハビリテーションの対象者の体の一部の動作の過去の検出結果情報に基づく予測を示す予測情報と、当該対象者の現在の検出結果情報とに基づいて比較した比較結果に関する情報の表示を制御してもよい。
【０１３７】
ここで、リハビリテーションの対象者は、当該対象者のリハビリテーションの結果と、リハビリテーションの目標との乖離を客観的に確認することが困難である場合があった。
本実施形態のリハビリテーション支援制御装置は、リハビリテーションの対象者の体の位置が検出された検出結果情報と、当該対象者のリハビリテーションの目標を示す予測情報とに基づいて、リハビリテーションの目標までの乖離を客観的に確認することができる。
【０１３８】
本実施形態のリハビリテーション支援制御装置は、リハビリテーションの対象者の体の位置が検出された検出結果情報と、他の情報とを比較した表示の制御を行う。これにより、リハビリテーションの対象者は、リハビリテーションの結果と他の情報とを比較することによって、当該リハビリテーションの結果の程度を認識することができる。
【０１３９】
［変形例２］
図１９は、リハビリテーション支援システム１のシステム構成の変形例２を示す斜視図である。
リハビリテーション支援制御装置３００は、複数の装置に機能を分けて実装されてもよい。例えば、入力部３１及び認識部３４１は画像認識装置として他の装置に実装されてもよい。例えば、認識部３４１はセンサ１００に設けられてもよい。
また、出力装置２００は、画像投影装置に代えて、画像を表示する画像表示装置を用いて構成されてもよい。この場合、図１９に示すように出力装置２００は、上述の説明において画像投影装置が映像を投影した面（投影面）に相当する面に表示面を有したディスプレイ装置として構成される。画像表示装置の具体例として、液晶ディスプレイ装置、有機ＥＬ（Electro Luminescence）ディスプレイ装置、タッチパネル式ディスプレイ装置等がある。例えば、テーブルの表面にディスプレイ装置を組み込んで、このディスプレイ装置の表示画面に対象者ＥＰがタッチするマークを表示するようにしてもよい。この場合も、リハビリテーション支援制御装置３００（制御部３４）は、例えば、ディスプレイ装置に表示されたマーカ画像を目印にしてキャリブレーションを実施する。
【０１４０】
上述した各装置が備える各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。上述した各装置が実行するプログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。各プログラムは、電気通信回線を介して送信されてもよい。
【符号の説明】
【０１４１】
１…リハビリテーション支援システム、３１…入力部、３２…出力部、３３…記憶部、３４、３７…制御部、１００…センサ、２００…出力装置、３００、３２０…リハビリテーション支援制御装置、３３１…キャリブレーション情報記憶部、３３３…検出履歴情報記憶部、３４１…認識部、３４２…表示制御部、３５１…比較部、８００…検出範囲、９００…出力領域、９０１…端点、ＯＰ…目標画像、ＡＦＤ…平均歩隔情報、ＡＨＶ、ＡＨＶＬ、ＡＨＶＲ…平均動作速度情報、ＡＬＳ…平均歩幅情報、ａｘｄ…歩行方向軸、ａｘｔ…時間軸、ＣＧ、ＣＧ１、ＣＧ２…認識情報、ＥＰ…対象者、ＴＰ…リハビリ対象部位、ＦＬ…フロア、Ｔ…テーブル、ＧＴ…着地タイミング情報、ＨＶ…動作速度情報、ＨＶＤ、ＨＶＬ、ＨＶＲ…動作速度情報、ＬＦＬ…左足位置、ＬＦＴ…左足軌跡、ＬＨＡ…左手到達範囲情報、ＬＨＬ…左手位置、ＬＨＴ…左手軌跡、ＬＲＤ…左右使用比較情報、ＲＦＬ…右足位置、ＲＦＴ…右足軌跡、ＲＨＡ…右手到達範囲情報、ＲＨＬ…右手位置、ＲＨＴ…右手軌跡、ＴＲ…所要時間情報、ＲＤＤ…リーチ比較情報、ＲＤ…リーチ情報、ＲＤＬ…リーチ情報、ＲＤＲ…リーチ情報、ＲＰ、ＲＰ１、ＲＰ２、ＲＰ３…結果画像、ＲＳ、ＲＳＬ、ＲＳＲ…リーチ面積情報、ＳＴＤ…立脚時間比較情報、ＴＣ…軌跡情報
【図１】
0006623122.tif 000002
【図２】
0006623122.tif 000003
【図３】
0006623122.tif 000004
【図４】
0006623122.tif 000005
【図５】
0006623122.tif 000006
【図６】
0006623122.tif 000007
【図７】
0006623122.tif 000008
【図８】
0006623122.tif 000009
【図９】
0006623122.tif 000010
【図１０】
0006623122.tif 000011
【図１１】
0006623122.tif 000012
【図１２】
0006623122.tif 000013
【図１３】
0006623122.tif 000014
【図１４】
0006623122.tif 000015
【図１５】
0006623122.tif 000016
【図１６】
0006623122.tif 000017
【図１７】
0006623122.tif 000018
【図１８】
0006623122.tif 000019
【図１９】
0006623122.tif 000020